(57)【要約】【課題】半透過反射方式の電気光学装置に用いられる場合、反射型として十分な明るさの画像表示と、透過型として十分な色の濃さの画像表示を共に実現することができ、透過型と反射型との表示方式間における画像品質の差異を減少させることができるとともに、色再現性及びホワイトバランスに優れた画像表示を実現することができるカラーフィルタ基板、電気光学装置及びその製造方法並びに電子機器を提供する。【解決手段】一対の基板を有する電気光学装置において、一方の基板には、実質的に光が透過可能な透過部及び光を反射する反射部を含む反射層を有し、他方の基板には、第１部分及び第２部分を含む着色層を有し、第１部分及び第２部分は、顔料を有し、第１部分は、透過部に平面的に重なり、第２部分は、反射部に平面的に重なり、第１部分は、第２部分よりも単位重量当たりの顔料の重量比が高いことを特徴とする電気光学装置。【選択図】図２
2008203868.tif 000002
【特許請求の範囲】
【請求項１】
カラーフィルタ基板において、
各々色が異なる、少なくとも第１、第２及び第３の着色層を有し、
各前記着色層は、第１部分及び第２部分を含み、
各前記着色層の前記第１部分は、対応する各透過部に平面的に重なるように配設され、
各前記着色層の前記第２部分は、対応する各反射部に平面的に重なるように配設され、
Ｃ光源を用いて各前記着色層に光を一回通過させて、前記着色層の色度座標を算出し、ＣＩＥ１９３１色度図上にプロットした場合に、各前記着色層の前記第１部分の前記色度座標を頂点とする三角形の面積は、各前記着色層の前記第２部分の前記色度座標を頂点とする三角形の面積の１．１倍以上６．０倍以下であることを特徴とするカラーフィルタ基板。
【請求項２】
カラーフィルタ基板において、
各々色が異なる少なくとも第１、第２及び第３の着色層を有し、
各前記着色層は、第１部分及び第２部分を含み、
各前記着色層の前記第１部分は、対応する各透過部に平面的に重なるように配設され、
各前記着色層の前記第２部分は、対応する各反射部に平面的に重なるように配設され、
Ｃ光源を用いて各前記着色層に光を一回通過させて、前記着色層の色度座標を算出し、ＣＩＥ１９３１色度図上にプロットした場合に、各前記着色層の前記第１部分の前記色度座標を頂点とする三角形の面積は、ＮＴＳＣ受像３原色を頂点とする三角形の面積の０．２５倍以上０．３８倍以下であり、各前記着色層の前記第２部分の前記色度座標を頂点とする三角形の面積は、ＮＴＳＣ受像３原色を頂点とする三角形の面積の０．０６倍以上０．１３倍以下であることを特徴とするカラーフィルタ基板。
【請求項３】
カラーフィルタ基板において、
第１部分及び第２部分を含む着色層を有し、
前記着色層は、５００ｎｍ＜波長λ＜６００ｎｍにおいて透過率のピークを有し、
各前記着色層の前記第１部分は、対応する各透過部に平面的に重なるように配設され、
各前記着色層の前記第２部分は、対応する各反射部に平面的に重なるように配設され、
Ｃ光源を用いて前記第１部分及び前記第２部分のそれぞれに対して光を一回通過させてそれぞれの分光透過率曲線を描いた場合に、可視光域において前記分光透過率曲線の各々に対して下限値からピーク値の半値に対応する半値幅を求めると、
前記第１部分に対応する前記半値幅は、１１０ｎｍ〜１２５ｎｍであり、
前記第２部分に対応する前記半値幅は、１３５ｎｍ〜１５０ｎｍであることを特徴とするカラーフィルタ基板。
【請求項４】
カラーフィルタ基板において、
各々色が異なる、少なくとも第１、第２及び第３の着色層を有し、
各前記着色層は、第１部分及び第２部分を含み、
各前記着色層の前記第１部分は、対応する各透過部に平面的に重なり、
各前記着色層の前記第２部分は、対応する各反射部に平面的に重なり、
Ｃ光源を用いて各前記着色層に光を一回通過させて、前記着色層の色度座標を算出し、ＣＩＥ１９３１色度図上にプロットした場合に、
前記第１の着色層の第１部分の色度座標は、ｘ１＝０．５４、ｙ１＝０．３４とし、
（ｘ−ｘ１）2＋（ｙ−ｙ１）2≦（０．０５）2で表される領域に位置し、
前記第２の着色層の第１部分の色度座標は、ｘ２＝０．３１、ｙ２＝０．４９とし、
（ｘ−ｘ２）2＋（ｙ−ｙ２）2≦（０．０５）2で表される領域に位置し、
前記第３の着色層の第１部分の色度座標は、ｘ３＝０．１５、ｙ３＝０．１９とし、
（ｘ−ｘ３）2＋（ｙ−ｙ３）2≦（０．０５）2で表される領域に位置し、
前記第１の着色層の第２部分の色度座標は、ｘ１＝０．４２、ｙ１＝０．３０とし、
（ｘ−ｘ１）2＋（ｙ−ｙ１）2≦（０．０５）2で表される領域に位置し、
前記第２の着色層の第２部分の色度座標は、ｘ２＝０．３１、ｙ２＝０．３５とし、
（ｘ−ｘ２）2＋（ｙ−ｙ２）2≦（０．０５）2で表される領域に位置し、
前記第３の着色層の第２部分の色度座標は、ｘ３＝０．２０、ｙ３＝０．２４とし、
（ｘ−ｘ３）2＋（ｙ−ｙ３）2≦（０．０５）2で表される領域に位置することを特徴とするカラーフィルタ基板。
【請求項５】
カラーフィルタ基板において、
第１部分及び第２部分を含む着色層を有し、
前記着色層は、波長λ＞６００ｎｍにおいて透過率のピークを有し、
前記着色層の前記第１部分は、対応する各透過部に平面的に重なるように配設され、
前記着色層の前記第２部分は、対応する各反射部に平面的に重なるように配設され、
Ｃ光源を用いて前記第１部分及び前記第２部分のそれぞれに対して光を一回通過させてそれぞれの分光透過率曲線を描いた場合に、４００ｎｍ≦波長λ≦６００ｎｍにおいて前記分光透過率曲線の各々の積分値を求めると、前記第２部分に対応する前記積分値は、前記第１部分に対応する前記積分値よりも大きいことを特徴とするカラーフィルタ基板。
【請求項６】
カラーフィルタ基板において、
第１部分及び第２部分を含む着色層を有し、
前記着色層は、５００ｎｍ＜波長λ＜６００ｎｍにおいて透過率のピークを有し、
前記着色層の前記第１部分は、対応する各透過部に平面的に重なるように配設され、
前記着色層の前記第２部分は、対応する各反射部に平面的に重なるように配設され、
Ｃ光源を用いて前記第１部分及び前記第２部分のそれぞれに対して光を一回通過させてそれぞれの分光透過率曲線を描いた場合に、４００ｎｍ≦波長λ≦５００ｎｍ又は６００ｎｍ≦波長λ≦７００ｎｍにおいて前記分光透過率曲線の各々の積分値を求めると、前記第２部分に対応する前記積分値は、前記第１部分に対応する前記積分値よりも大きいことを特徴とするカラーフィルタ基板。
【請求項７】
カラーフィルタ基板において、
第１部分及び第２部分を含む着色層を有し、
前記着色層は、４００ｎｍ≦波長λ＜５００ｎｍにおいて透過率のピークを有し、
前記着色層の前記第１部分は、対応する各透過部に平面的に重なるように配設され、
前記着色層の前記第２部分は、対応する各反射部に平面的に重なるように配設され、
Ｃ光源を用いて前記第１部分及び前記第２部分のそれぞれに対して光を一回通過させてそれぞれの分光透過率曲線を描いた場合に、５００ｎｍ≦波長λ≦７００ｎｍにおいて前記分光透過率曲線の各々の積分値を求めると、前記第２部分に対応する前記積分値は、前記第１部分に対応する前記積分値よりも大きいことを特徴とするカラーフィルタ基板。
【請求項８】
カラーフィルタ基板において、
第１部分及び第２部分を含む着色層を有し、
前記着色層は、波長λ＞６００ｎｍにおいて透過率のピークを有し、
前記着色層の前記第１部分は、対応する各透過部に平面的に重なるように配設され、
前記着色層の前記第２部分は、対応する各反射部に平面的に重なるように配設され、
Ｃ光源を用いて前記第１部分及び前記第２部分のそれぞれに対して光を一回通過させてそれぞれの分光透過率曲線を描いた場合に、４００ｎｍ≦波長λ≦６００ｎｍにおいて前記分光透過率曲線の各々の平均透過率を求めると、前記第２部分に対応する前記平均透過率は、前記第１部分に対応する前記平均透過率よりも大きいことを特徴とするカラーフィルタ基板。
【請求項９】
カラーフィルタ基板において、
第１部分及び第２部分を含む着色層を有し、
前記着色層は、５００ｎｍ＜波長λ＜６００ｎｍにおいて透過率のピークを有し、
前記着色層の前記第１部分は、対応する各透過部に平面的に重なるように配設され、
前記着色層の前記第２部分は、対応する各反射部に平面的に重なるように配設され、
Ｃ光源を用いて前記第１部分及び前記第２部分のそれぞれに対して光を一回通過させてそれぞれの分光透過率曲線を描いた場合に、４００ｎｍ≦波長λ≦５００ｎｍ又は波長６００ｎｍ≦波長λ≦７００ｎｍにおいて前記分光透過率曲線の各々の平均透過率を求めると、前記第２部分に対応する前記平均透過率は、前記第１部分に対応する前記平均透過率よりも大きいことを特徴とするカラーフィルタ基板。
【請求項１０】
カラーフィルタ基板において、
第１部分及び第２部分を含む着色層を有し、
前記着色層は、４００ｎｍ≦波長λ＜５００ｎｍにおいて透過率のピークを有し、
前記着色層の前記第１部分は、対応する各透過部に平面的に重なるように配設され、
前記着色層の前記第２部分は、対応する各反射部に平面的に重なるように配設され、
Ｃ光源を用いて前記第１部分及び前記第２部分のそれぞれに対して光を一回通過させてそれぞれの分光透過率曲線を描いた場合に、５００ｎｍ≦波長λ≦７００ｎｍにおいて前記分光透過率曲線の各々の平均透過率を求めると、前記第２部分に対応する前記平均透過率は、前記第１部分に対応する前記平均透過率よりも大きいことを特徴とするカラーフィルタ基板。
【請求項１１】
実質的に光が透過可能な透過部及び光を反射する反射部を含む反射層を有する請求項１〜１０のいずれかに記載のカラーフィルタ基板。
【請求項１２】
一対の基板を有する電気光学装置において、
一方の前記基板には、実質的に光が透過可能な透過部及び光を反射する反射部を含む反射層を有し、
他方の前記基板には、第１部分及び第２部分を含む着色層を有し、
前記第１部分及び前記第２部分は、顔料を有し、
前記第１部分は、前記透過部に平面的に重なり、
前記第２部分は、前記反射部に平面的に重なり、
前記第１部分は、前記第２部分よりも単位重量当たりの前記顔料の重量比が高いことを特徴とする電気光学装置。
【請求項１３】
一対の基板を有する電気光学装置において、
一方の前記基板には、実質的に光が透過可能な透過部及び光を反射する反射部を含む反射層を有し、
他方の前記基板には、第１部分及び第２部分を含む着色層を有し、
前記第１部分及び前記第２部分は、顔料を有し、
前記第１部分は、前記透過部に平面的に重なり、
前記第２部分は、前記反射部に平面的に重なり、
前記第１部分は、前記第２部分よりも単位体積当たりの前記顔料の体積比が高いことを特徴とする電気光学装置。
【請求項１４】
一対の基板を有する電気光学装置において、
一方の前記基板には、実質的に光が透過可能な透過部及び光を反射する反射部を含む反射層を有し、
他方の前記基板には、第１部分及び第２部分を含む着色層を有し、
前記第１部分及び前記第２部分は、顔料を有し、
前記第１部分は、前記透過部に平面的に重なり、
前記第２部分は、前記反射部に平面的に重なり、
前記第１部分は、前記第２部分よりも前記顔料のモル濃度が高いことを特徴とする電気光学装置。
【請求項１５】
一対の基板を有する電気光学装置において、
一方の前記基板には、実質的に光が透過可能な複数の透過部及び光を反射する複数の反射部を含む反射層を有し、
他方の前記基板には、各々色が異なる、少なくとも第１、第２及び第３の着色層を有し、
各前記着色層は、第１部分及び第２部分を含み、
各前記着色層の前記第１部分は、対応する各前記透過部に平面的に重なり、
各前記着色層の前記第２部分は、対応する各前記反射部に平面的に重なり、
Ｃ光源を用いて各前記着色層に光を一回通過させて、前記着色層の色度座標を算出し、ＣＩＥ１９３１色度図上にプロットした場合に、各前記着色層の前記第１部分の前記色度座標を頂点とする三角形の面積は、各前記着色層の前記第２部分の前記色度座標を頂点とする三角形の面積の１．１倍以上６．０倍以下であることを特徴とする電気光学装置。
【請求項１６】
電気光学装置において、
実質的に光が透過可能な複数の透過部及び光を反射する複数の反射部を含む反射層、並びに各々色が異なる、少なくとも第１、第２及び第３の着色層を有し、
各前記着色層は、第１部分及び第２部分を含み、且つ前記反射層に平面的に重なり、
各前記着色層の前記第１部分は、対応する各前記透過部に平面的に重なり、
各前記着色層の前記第２部分は、対応する各前記反射部に平面的に重なり、
Ｃ光源を用いて各前記着色層に光を一回通過させて、前記着色層の色度座標を算出し、ＣＩＥ１９３１色度図上にプロットした場合に、各前記着色層の前記第１部分の前記色度座標を頂点とする三角形の面積は、各前記着色層の前記第２部分の前記色度座標を頂点とする三角形の面積の１．１倍以上６．０倍以下であることを特徴とする電気光学装置。
【請求項１７】
一対の基板を有する電気光学装置において、
一方の前記基板には、実質的に光が透過可能な透過部及び光を反射する反射部を含む反射層を有し、
他方の前記基板には、第１部分及び第２部分を含む着色層を有し、
前記第１部分及び前記第２部分は、互いに材料が異なり、
前記第１部分は前記透過部に平面的に重なり、
前記第２部分は前記反射部に平面的に重なることを特徴とする電気光学装置。
【請求項１８】
一対の基板を有する電気光学装置において、
一方の前記基板には、実質的に光が透過可能な複数の透過部及び光を反射する複数の反射部を含む反射層を有し、
他方の前記基板には、各々色が異なる少なくとも第１、第２及び第３の着色層を有し、
各前記着色層は、第１部分及び第２部分を含み、
各前記着色層の前記第１部分は、対応する各前記透過部に平面的に重なり、
各前記着色層の前記第２部分は、対応する各前記反射部に平面的に重なり、
Ｃ光源を用いて各前記着色層に光を一回通過させて、前記着色層の色度座標を算出し、ＣＩＥ１９３１色度図上にプロットした場合に、各前記着色層の前記第１部分の前記色度座標を頂点とする三角形の面積は、ＮＴＳＣ受像３原色を頂点とする三角形の面積の０．２５倍以上０．３８倍以下であり、各前記着色層の前記第２部分の前記色度座標を頂点とする三角形の面積は、ＮＴＳＣ受像３原色を頂点とする三角形の面積の０．０６倍以上０．１３倍以下であることを特徴とする電気光学装置。
【請求項１９】
電気光学装置において、
実質的に光が透過可能な複数の透過部及び光を反射する複数の反射部を含む反射層、並びに各々色が異なる少なくとも第１、第２及び第３の着色層を有し、
各前記着色層は、第１部分及び第２部分を含み、且つ前記反射層に平面的に重なり、
各前記着色層の前記第１部分は、対応する各前記透過部を平面的に覆っており、
各前記着色層の前記第２部分は、対応する各前記反射部を平面的に覆っており、
Ｃ光源を用いて各前記着色層に光を一回通過させて、前記着色層の色度座標を算出し、ＣＩＥ１９３１色度図上にプロットした場合に、各前記着色層の前記第１部分の前記色度座標を頂点とする三角形の面積は、ＮＴＳＣ受像３原色を頂点とする三角形の面積の０．２５倍以上０．３８倍以下であり、各前記着色層の前記第２部分の前記色度座標を頂点とする三角形の面積は、ＮＴＳＣ受像３原色を頂点とする三角形の面積の０．０６倍以上０．１３倍以下であることを特徴とする電気光学装置。
【請求項２０】
一対の基板を有する電気光学装置において、
一方の前記基板には、実質的に光が透過可能な透過部及び光を反射する反射部を含む反射層を有し、
他方の前記基板には、第１部分及び第２部分を含む着色層を有し、
前記第１部分は、前記透過部に平面的に重なり、
前記第２部分は、前記反射部に平面的に重なり、
前記第１部分は、前記第２部分よりも光濃度が高いことを特徴とする電気光学装置。
【請求項２１】
一対の基板を有する電気光学装置において、
一方の前記基板には、実質的に光が透過可能な透過部及び光を反射する反射部を含む反射層を有し、
他方の前記基板には、第１部分及び第２部分を含む着色層を有し、
前記第１部分は、前記透過部に平面的に重なり、
前記第２部分は、前記反射部に平面的に重なり、
Ｃ光源を用いて前記第１部分及び前記第２部分のそれぞれに対して光を一回通過させてそれぞれの分光透過率曲線を描いた場合に、可視光域において前記分光透過率曲線のピーク値が互いに異なることを特徴とする電気光学装置。
【請求項２２】
一対の基板を有する電気光学装置において、
一方の前記基板には、実質的に光が透過可能な透過部及び光を反射する反射部を含む反射層を有し、
他方の前記基板には、第１部分及び第２部分を含む着色層を有し、
前記第１部分は、前記透過部に平面的に重なり、
前記第２部分は、前記反射部に平面的に重なり、
Ｃ光源を用いて前記第１部分及び前記第２部分のそれぞれに対して光を一回通過させてそれぞれの分光透過率曲線を描いた場合に、可視光域の所定の波長に対する前記分光透過率曲線の透過率値が互いに異なることを特徴とする電気光学装置。
【請求項２３】
一対の基板を有する電気光学装置において、
一方の前記基板には、実質的に光が透過可能な透過部及び光を反射する反射部を含む反射層を有し、
他方の前記基板には、第１部分及び第２部分を含む着色層を有し、
前記第１部分は、前記透過部に平面的に重なり、
前記第２部分は、前記反射部に平面的に重なり、
Ｃ光源を用いて前記第１部分及び前記第２部分のそれぞれに対して光を一回通過させてそれぞれの分光透過率曲線を描いた場合に、可視光域において前記分光透過率曲線が互いに異なることを特徴とする電気光学装置。
【請求項２４】
請求項２３に記載の電気光学装置において、前記可視光域は、３８０ｎｍ以上７８０ｎｍ以下の波長域であり、前記可視光域において、前記第２部分の前記分光透過率曲線は、前記第１部分の前記分光透過率曲線よりも透過率値が大きいことを特徴とする電気光学装置。
【請求項２５】
一対の基板を有する電気光学装置において、
一方の前記基板には、実質的に光が透過可能な透過部及び光を反射する反射部を含む反射層を有し、
他方の前記基板には、第１部分及び第２部分を含む着色層を有し、
前記第１部分は、前記透過部に平面的に重なり、
前記第２部分は、前記反射部に平面的に重なり、
Ｃ光源を用いて前記第１部分及び前記第２部分のそれぞれに対して光を一回通過させてそれぞれの分光透過率曲線を描いた場合に、前記第２部分の前記分光透過率曲線の可視光域での積分値は、前記第１部分の前記分光透過率曲線の可視光域での積分値よりも大きいことを特徴とする電気光学装置。
【請求項２６】
一対の基板を有する電気光学装置において、
一方の前記基板には、実質的に光が透過可能な透過部及び光を反射する反射部を含む反射層を有し、
他方の前記基板には、第１部分及び第２部分を含む着色層を有し、
前記第１部分は、前記透過部に平面的に重なり、
前記第２部分は、前記反射部に平面的に重なり、
Ｃ光源を用いて前記第１部分及び前記第２部分のそれぞれに対して光を一回通過させてそれぞれの分光透過率曲線を描いた場合に、可視光域において前記分光透過率曲線の各々に対して下限値からピーク値の半値に対応する半値幅を求めると、前記第２部分に対応する前記半値幅は前記第１部分に対応する前記半値幅よりも大きいことを特徴とする電気光学装置。
【請求項２７】
電気光学装置において、
実質的に光が透過可能な透過部及び光を反射する反射部を含む反射層、並びに第１部分及び第２部分を含む着色層を有し、
前記着色層は、５００ｎｍ＜波長λ＜６００ｎｍにおいて透過率のピークを有し、
前記反射層及び前記着色層は互いに平面的に重なり、
前記第１部分は、前記透過部に平面的に重なり、
前記第２部分は、前記反射部に平面的に重なり、
Ｃ光源を用いて前記第１部分及び前記第２部分のそれぞれに対して光を一回通過させてそれぞれの分光透過率曲線を描いた場合に、可視光域において前記分光透過率曲線の各々に対して下限値からピーク値の半値に対応する半値幅を求めると、
前記第１部分に対応する前記半値幅は、１１０ｎｍ〜１２５ｎｍであり、
前記第２部分に対応する前記半値幅は、１３５ｎｍ〜１５０ｎｍであることを特徴とする電気光学装置。
【請求項２８】
一対の基板を有する電気光学装置において、
一方の前記基板には、実質的に光が透過可能な透過部及び光を反射する反射部を含む反射層を有し、
他方の前記基板には、第１部分及び第２部分を含む着色層を有し、
前記第１部分は、前記透過部に平面的に重なり、
前記第２部分は、前記反射部に平面的に重なり、
Ｃ光源を用いて前記第１部分及び前記第２部分のそれぞれに対して光を一回通過させてそれぞれの分光透過率曲線を描いた場合に、可視光域において前記第１部分の前記分光透過率曲線のピーク値は、前記第２部分の前記分光透過率曲線のピーク値よりも小さいことを特徴とする電気光学装置。
【請求項２９】
電気光学装置において、
実質的に光が透過可能な複数の透過部及び光を反射する複数の反射部を含む反射層、並びに各々色が異なる、少なくとも第１、第２及び第３の着色層を有し、
各前記着色層は、第１部分及び第２部分を含み、且つ前記反射層に平面的に重なり、
各前記着色層の前記第１部分は、対応する各前記透過部に平面的に重なり、
各前記着色層の前記第２部分は、対応する各前記反射部に平面的に重なり、
Ｃ光源を用いて各前記着色層に光を一回通過させて、前記着色層の色度座標を算出し、ＣＩＥ１９３１色度図上にプロットした場合に、
前記第１の着色層の第１部分の色度座標は、ｘ１＝０．５４、ｙ１＝０．３４とし、
（ｘ−ｘ１）2＋（ｙ−ｙ１）2≦（０．０５）2で表される領域に位置し、
前記第２の着色層の第１部分の色度座標は、ｘ２＝０．３１、ｙ２＝０．４９とし、
（ｘ−ｘ２）2＋（ｙ−ｙ２）2≦（０．０５）2で表される領域に位置し、
前記第３の着色層の第１部分の色度座標は、ｘ３＝０．１５、ｙ３＝０．１９とし、
（ｘ−ｘ３）2＋（ｙ−ｙ３）2≦（０．０５）2で表される領域に位置し、
前記第１の着色層の第２部分の色度座標は、ｘ１＝０．４２、ｙ１＝０．３０とし、
（ｘ−ｘ１）2＋（ｙ−ｙ１）2≦（０．０５）2で表される領域に位置し、
前記第２の着色層の第２部分の色度座標は、ｘ２＝０．３１、ｙ２＝０．３５とし、
（ｘ−ｘ２）2＋（ｙ−ｙ２）2≦（０．０５）2で表される領域に位置し、
前記第３の着色層の第２部分の色度座標は、ｘ３＝０．２０、ｙ３＝０．２４とし、
（ｘ−ｘ３）2＋（ｙ−ｙ３）2≦（０．０５）2で表される領域に位置することを特徴とする電気光学装置。
【請求項３０】
一対の基板を有する電気光学装置において、
一方の前記基板には、実質的に光が透過可能な透過部及び光を反射する反射部を含む反射層を有し、
他方の前記基板には、第１部分及び第２部分を含む着色層を有し、
前記着色層は、波長λ＞６００ｎｍにおいて透過率のピークを有し、
前記第１部分は、前記透過部に平面的に重なり、
前記第２部分は、前記反射部に平面的に重なり、
Ｃ光源を用いて前記第１部分及び前記第２部分のそれぞれに対して光を一回通過させてそれぞれの分光透過率曲線を描いた場合に、４００ｎｍ≦波長λ≦６００ｎｍにおいて前記分光透過率曲線の各々の積分値を求めると、前記第２部分に対応する前記積分値は、前記第１部分に対応する前記積分値よりも大きいことを特徴とする電気光学装置。
【請求項３１】
一対の基板を有する電気光学装置において、
一方の前記基板には、実質的に光が透過可能な透過部及び光を反射する反射部を含む反射層を有し、
他方の前記基板には、第１部分及び第２部分を含む着色層を有し、
前記着色層は、５００ｎｍ＜波長λ＜６００ｎｍにおいて透過率のピークを有し、
前記第１部分は、前記透過部に平面的に重なり、
前記第２部分は、前記反射部に平面的に重なり、
Ｃ光源を用いて前記第１部分及び前記第２部分のそれぞれに対して光を一回通過させてそれぞれの分光透過率曲線を描いた場合に、４００ｎｍ≦波長λ≦５００ｎｍ又は６００ｎｍ≦波長λ≦７００ｎｍにおいて前記分光透過率曲線の各々の積分値を求めると、前記第２部分に対応する前記積分値は、前記第１部分に対応する前記積分値よりも大きいことを特徴とする電気光学装置。
【請求項３２】
一対の基板を有する電気光学装置において、
一方の前記基板には、実質的に光が透過可能な透過部及び光を反射する反射部を含む反射層を有し、
他方の前記基板には、第１部分及び第２部分を含む着色層を有し、
前記着色層は、４００ｎｍ≦波長λ＜５００ｎｍにおいて透過率のピークを有し、
前記第１部分は、前記透過部に平面的に重なり、
前記第２部分は、前記反射部に平面的に重なり、
Ｃ光源を用いて前記第１部分及び前記第２部分のそれぞれに対して光を一回通過させてそれぞれの分光透過率曲線を描いた場合に、５００ｎｍ≦波長λ≦７００ｎｍにおいて前記分光透過率曲線の各々の積分値を求めると、前記第２部分に対応する前記積分値は、前記第１部分に対応する前記積分値よりも大きいことを特徴とする電気光学装置。
【請求項３３】
一対の基板を有する電気光学装置において、
一方の前記基板には、実質的に光が透過可能な透過部及び光を反射する反射部を含む反射層を有し、
他方の前記基板には、第１部分及び第２部分を含む着色層を有し、
前記着色層は、波長λ＞６００ｎｍにおいて透過率のピークを有し、
前記第１部分は、前記透過部に平面的に重なり、
前記第２部分は、前記反射部に平面的に重なり、
Ｃ光源を用いて前記第１部分及び前記第２部分のそれぞれに対して光を一回通過させてそれぞれの分光透過率曲線を描いた場合に、４００ｎｍ≦波長λ≦６００ｎｍにおいて前記分光透過率曲線の各々の平均透過率を求めると、前記第２部分に対応する前記平均透過率は、前記第１部分に対応する前記平均透過率よりも大きいことを特徴とする電気光学装置。
【請求項３４】
一対の基板を有する電気光学装置において、
一方の前記基板には、実質的に光が透過可能な透過部及び光を反射する反射部を含む反射層を有し、
他方の前記基板には、第１部分及び第２部分を含む着色層を有し、
前記着色層は、５００ｎｍ＜波長λ＜６００ｎｍにおいて透過率のピークを有し、
前記第１部分は、前記透過部に平面的に重なり、
前記第２部分は、前記反射部に平面的に重なり、
Ｃ光源を用いて前記第１部分及び前記第２部分のそれぞれに対して光を一回通過させてそれぞれの分光透過率曲線を描いた場合に、４００ｎｍ≦波長λ≦５００ｎｍ又は波長６００ｎｍ≦波長λ≦７００ｎｍにおいて前記分光透過率曲線の各々の平均透過率を求めると、前記第２部分に対応する前記平均透過率は、前記第１部分に対応する前記平均透過率よりも大きいことを特徴とする電気光学装置。
【請求項３５】
一対の基板を有する電気光学装置において、
一方の前記基板には、実質的に光が透過可能な透過部及び光を反射する反射部を含む反射層を有し、
他方の前記基板には、第１部分及び第２部分を含む着色層を有し、
前記着色層は、４００ｎｍ≦波長λ＜５００ｎｍにおいて透過率のピークを有し、
前記第１部分は、前記透過部に平面的に重なり、
前記第２部分は、前記反射部に平面的に重なり、
Ｃ光源を用いて前記第１部分及び前記第２部分のそれぞれに対して光を一回通過させてそれぞれの分光透過率曲線を描いた場合に、５００ｎｍ≦波長λ≦７００ｎｍにおいて前記分光透過率曲線の各々の平均透過率を求めると、前記第２部分に対応する前記平均透過率は、前記第１部分に対応する前記平均透過率よりも大きいことを特徴とする電気光学装置。
【請求項３６】
一対の基板を有する電気光学装置の製造方法において、
一方の前記基板に、実質的に光が透過可能な透過部及び光を反射する反射部を含む反射層を形成する工程と、
他方の前記基板に、着色層の第１部分を、少なくとも前記透過部に平面的に重なるように形成する工程と、
他方の前記基板に、着色層の第２部分を、少なくとも前記反射部に平面的に重なるように形成する工程と、を具備することを特徴とする電気光学装置の製造方法。
【請求項３７】
請求項１２〜３５のいずれかに記載された電気光学装置を備えてなることを特徴とする電子機器。
【発明の詳細な説明】
【技術分野】
【０００１】
本発明はカラーフィルタ基板、電気光学装置及びその製造方法並びに電子機器に関する。さらに詳しくは、半透過反射方式の電気光学装置に用いられる場合、反射型として十分な明るさの画像表示と、透過型として十分な色の濃さの画像表示を共に実現することができ、透過型と反射型との表示方式間における画像品質の差異を減少させることができるとともに、色再現性及びホワイトバランスに優れた画像表示を実現することができるカラーフィルタ基板、電気光学装置及びその製造方法並びに電子機器に関する。
【背景技術】
【０００２】
近年、携帯電話機、携帯型パーソナルコンピュータ等の電子機器に電気光学装置、例えば、液晶装置が広く用いられるようになっている。この液晶装置は用途により様々な形態があり、例えば、暗い場所で使用する場合や、画像表示部の輝度を特に必要とする場合等は、液晶装置の背面に設置された照明装置からの光を入射させて表示を行う透過型の液晶装置が用いられており、また、使用場所が十分に明るい場合や、特に画像表示部の輝度を必要としない場合は、自然光や室内照明等の外光を画像表示部前面から入射させ、この光を反射させて表示を行う反射型が用いられている。さらに、これら透過型と反射型の表示の両方が可能な、いわゆる半透過反射方式の液晶装置も用いられている。
【０００３】
図３６は、従来の半透過反射方式の液晶装置１００の構造を模式的に示す断面図である。この液晶装置１００は、基板１１１と基板１２１とがシール材１０３によって貼り合わせられ、基板１１１と基板１２１との間に液晶１２３を封入した構造を備えている。
【０００４】
基板１１１の内面上には、画素毎に実質的に光が透過可能な透過部１１２ａ及び光を反射する反射部１１２ｂを含む反射層１１２が形成され、反射層１１２を覆うように表面保護層１１７が形成され、表面保護層１１７の上には透明電極１１６と配向膜１２３とが形成されている。
【０００５】
一方、基板１２１の内面上には着色層１１５Ｒ、１１５Ｇ、１１５Ｂと、各着色層１１５Ｒ、１１５Ｇ、１１５Ｂを区画するように黒色遮光膜１１５ＢＭが形成されている。さらに、その上に表面保護層１２５と透明電極１２２とが順次形成され、透明電極１２２は、対向する基板１１１上の透明電極１１６と交差するように構成されている。さらに、透明電極１２２の上には配向膜１２４が形成されている。なお、基板１１１上や基板１２１上には、硬質透明膜などが必要に応じて適宜に形成される。
【０００６】
また、上記の基板１１１の外面上には位相差板１４０及び偏光板１４１が順次配置され、基板１２１の外面上には位相差板１５０及び偏光板１５１が順次配置されている。
【０００７】
以上のように構成された液晶装置１００は、携帯電話機、携帯型パーソナルコンピュータ等の電子機器に設置される場合、その背後に照明装置１７０が配置された状態で取付けられる。この液晶装置１００においては、昼間や屋内等の明るい場所では反射経路Ｒに沿って外光が液晶１２３を透過した後に反射部１１２ｂにて反射され、再び液晶１２３を透過して放出されるので、反射型表示が視認される。一方、夜間や野外等の暗い場所では照明装置１７０を点灯させることにより、照明装置１７０の照明光のうち透過部１１２ａを通過した光が透過経路Ｔに沿って液晶１２３を透過して放出されるので、透過型表示が視認される。
【発明の開示】
【発明が解決しようとする課題】
【０００８】
しかしながら、このような半透過反射方式の液晶装置は、異なる２つの表示方式を採用していることから、次のような問題があった。
【０００９】
半透過反射方式の液晶装置においては、反射型として用いた場合、画像表示部前面から入射した外光は着色層を通過した後、反射層で反射し再度着色層を通過するため、着色層の通過距離が、着色層を一度だけ通過する透過型表示の場合に比べ二倍以上になり、表示される画像の明るさが低下することになる。このような反射型として用いた場合に十分な明るさの画像表示を得るためには、着色層の厚さを薄くしたり、顔料濃度を減少させる必要があるが、このような条件であると、透過型として用いる場合に十分な色の濃さ及び色純度の画像表示が得られないことになる。逆に、着色層を厚くしたり、顔料濃度を増加させたりすることによって透過型として十分な色の濃さ及び色純度の画像表示を得るように着色層の条件を設定すると、反射型として十分な明るさの画像表示を得ることができないことになる。このように、反射型として十分な明るさの画像表示を得ることと、透過型で十分な色の濃さの画像表示を得ることとは、二律背反の関係にあり、両者を両立させることは極めて困難であるという問題があった。
【００１０】
なお、ここで色純度とは、着色層を透過した光の波長がどの程度特定波長のみ含んでいるかにより定義付けすることができる。これは、例えば、Ｙ軸を透過率、Ｘ軸を波長としたグラフを描いたときの透過率曲線におけるピーク波長の半値幅で示すことができる。すなわち、半値幅が小さいほど色純度が高いということになる。
【００１１】
また、反射型表示と透過型表示とは、それぞれ異なる光源から出射される光、例えば、反射型表示においては太陽光や室内光、透過型表示においては液晶装置の照明装置として用いられるＬＥＤ（Ｌｉｇｈｔ  Ｅｍｉｔｔｉｎｇ  Ｄｉｏｄｅ）等が出射する照明光、を用いて画像表示を実現するために、各々の光が有する分光特性によって、各画像表示毎に差異が生じたり、色再現性が低下するといった問題があった。
【００１２】
本発明は、上述の問題に鑑みてなされたものであって半透過反射方式の電気光学装置に用いられる場合、反射型として十分な明るさの画像表示と、透過型として十分な色の濃さの画像表示を共に実現することができ、透過型と反射型との表示方式間における画像品質の差異を減少させることができるとともに、色再現性及びホワイトバランスに優れた画像表示を実現することができるカラーフィルタ基板、電気光学装置及びその製造方法並びに電子機器を提供することを目的とする。
【課題を解決するための手段】
【００１３】
上述の目的を達成するために、本発明のカラーフィルタ基板は、各々色が異なる、少なくとも第１、第２及び第３の着色層を有し、各前記着色層は、第１部分及び第２部分を含み、各前記着色層の前記第１部分は、対応する各透過部に平面的に重なるように配設され、各前記着色層の前記第２部分は、対応する各反射部に平面的に重なるように配設され、Ｃ光源を用いて各前記着色層に光を一回通過させて、前記着色層の色度座標を算出し、ＣＩＥ１９３１色度図上にプロットした場合に、各前記着色層の前記第１部分の前記色度座標を頂点とする三角形の面積は、各前記着色層の前記第２部分の前記色度座標を頂点とする三角形の面積の１．１倍以上６．０倍以下であることを特徴とする。
【００１４】
また、本発明のカラーフィルタ基板は、各々色が異なる少なくとも第１、第２及び第３の着色層を有し、各前記着色層は、第１部分及び第２部分を含み、各前記着色層の前記第１部分は、対応する各透過部に平面的に重なるように配設され、各前記着色層の前記第２部分は、対応する各反射部に平面的に重なるように配設され、Ｃ光源を用いて各前記着色層に光を一回通過させて、前記着色層の色度座標を算出し、ＣＩＥ１９３１色度図上にプロットした場合に、各前記着色層の前記第１部分の前記色度座標を頂点とする三角形の面積は、ＮＴＳＣ受像３原色を頂点とする三角形の面積の０．２５倍以上０．３８倍以下であり、各前記着色層の前記第２部分の前記色度座標を頂点とする三角形の面積は、ＮＴＳＣ受像３原色を頂点とする三角形の面積の０．０６倍以上０．１３倍以下であることを特徴とする。
【００１５】
また、本発明のカラーフィルタ基板は、第１部分及び第２部分を含む着色層を有し、前記着色層は、５００ｎｍ＜波長λ＜６００ｎｍにおいて透過率のピークを有し、各前記着色層の前記第１部分は、対応する各透過部に平面的に重なるように配設され、各前記着色層の前記第２部分は、対応する各反射部に平面的に重なるように配設され、Ｃ光源を用いて前記第１部分及び前記第２部分のそれぞれに対して光を一回通過させてそれぞれの分光透過率曲線を描いた場合に、可視光域において前記分光透過率曲線の各々に対して下限値からピーク値の半値に対応する半値幅を求めると、前記第１部分に対応する前記半値幅は、１１０ｎｍ〜１２５ｎｍであり、前記第２部分に対応する前記半値幅は、１３５ｎｍ〜１５０ｎｍであることを特徴とする。
【００１６】
また、本発明のカラーフィルタ基板は、各々色が異なる、少なくとも第１、第２及び第３の着色層を有し、各前記着色層は、第１部分及び第２部分を含み、各前記着色層の前記第１部分は、対応する各透過部に平面的に重なり、各前記着色層の前記第２部分は、対応する各反射部に平面的に重なり、Ｃ光源を用いて各前記着色層に光を一回通過させて、前記着色層の色度座標を算出し、ＣＩＥ１９３１色度図上にプロットした場合に、前記第１の着色層の第１部分の色度座標は、ｘ１＝０．５４、ｙ１＝０．３４とし、（ｘ−ｘ１）2＋（ｙ−ｙ１）2≦（０．０５）2で表される領域に位置し、前記第２の着色層の第１部分の色度座標は、ｘ２＝０．３１、ｙ２＝０．４９とし、（ｘ−ｘ２）2＋（ｙ−ｙ２）2≦（０．０５）2で表される領域に位置し、前記第３の着色層の第１部分の色度座標は、ｘ３＝０．１５、ｙ３＝０．１９とし、（ｘ−ｘ３）2＋（ｙ−ｙ３）2≦（０．０５）2で表される領域に位置し、前記第１の着色層の第２部分の色度座標は、ｘ１＝０．４２、ｙ１＝０．３０とし、（ｘ−ｘ１）2＋（ｙ−ｙ１）2≦（０．０５）2で表される領域に位置し、前記第２の着色層の第２部分の色度座標は、ｘ２＝０．３１、ｙ２＝０．３５とし、（ｘ−ｘ２）2＋（ｙ−ｙ２）2≦（０．０５）2で表される領域に位置し、前記第３の着色層の第２部分の色度座標は、ｘ３＝０．２０、ｙ３＝０．２４とし、（ｘ−ｘ３）2＋（ｙ−ｙ３）2≦（０．０５）2で表される領域に位置することを特徴とする。
【００１７】
また、本発明のカラーフィルタ基板は、第１部分及び第２部分を含む着色層を有し、前記着色層は、波長λ＞６００ｎｍにおいて透過率のピークを有し、前記着色層の前記第１部分は、対応する各透過部に平面的に重なるように配設され、前記着色層の前記第２部分は、対応する各反射部に平面的に重なるように配設され、Ｃ光源を用いて前記第１部分及び前記第２部分のそれぞれに対して光を一回通過させてそれぞれの分光透過率曲線を描いた場合に、４００ｎｍ≦波長λ≦６００ｎｍにおいて前記分光透過率曲線の各々の積分値を求めると、前記第２部分に対応する前記積分値は、前記第１部分に対応する前記積分値よりも大きいことを特徴とする。
【００１８】
また、本発明のカラーフィルタ基板は、第１部分及び第２部分を含む着色層を有し、前記着色層は、５００ｎｍ＜波長λ＜６００ｎｍにおいて透過率のピークを有し、前記着色層の前記第１部分は、対応する各透過部に平面的に重なるように配設され、前記着色層の前記第２部分は、対応する各反射部に平面的に重なるように配設され、Ｃ光源を用いて前記第１部分及び前記第２部分のそれぞれに対して光を一回通過させてそれぞれの分光透過率曲線を描いた場合に、４００ｎｍ≦波長λ≦５００ｎｍ又は６００ｎｍ≦波長λ≦７００ｎｍにおいて前記分光透過率曲線の各々の積分値を求めると、前記第２部分に対応する前記積分値は、前記第１部分に対応する前記積分値よりも大きいことを特徴とする。
【００１９】
また、本発明のカラーフィルタ基板は、第１部分及び第２部分を含む着色層を有し、前記着色層は、４００ｎｍ≦波長λ＜５００ｎｍにおいて透過率のピークを有し、前記着色層の前記第１部分は、対応する各透過部に平面的に重なるように配設され、前記着色層の前記第２部分は、対応する各反射部に平面的に重なるように配設され、Ｃ光源を用いて前記第１部分及び前記第２部分のそれぞれに対して光を一回通過させてそれぞれの分光透過率曲線を描いた場合に、５００ｎｍ≦波長λ≦７００ｎｍにおいて前記分光透過率曲線の各々の積分値を求めると、前記第２部分に対応する前記積分値は、前記第１部分に対応する前記積分値よりも大きいことを特徴とする。
【００２０】
また、本発明のカラーフィルタ基板は、第１部分及び第２部分を含む着色層を有し、前記着色層は、波長λ＞６００ｎｍにおいて透過率のピークを有し、前記着色層の前記第１部分は、対応する各透過部に平面的に重なるように配設され、前記着色層の前記第２部分は、対応する各反射部に平面的に重なるように配設され、Ｃ光源を用いて前記第１部分及び前記第２部分のそれぞれに対して光を一回通過させてそれぞれの分光透過率曲線を描いた場合に、４００ｎｍ≦波長λ≦６００ｎｍにおいて前記分光透過率曲線の各々の平均透過率を求めると、前記第２部分に対応する前記平均透過率は、前記第１部分に対応する前記平均透過率よりも大きいことを特徴とする。
【００２１】
また、本発明のカラーフィルタ基板は、第１部分及び第２部分を含む着色層を有し、前記着色層は、５００ｎｍ＜波長λ＜６００ｎｍにおいて透過率のピークを有し、前記着色層の前記第１部分は、対応する各透過部に平面的に重なるように配設され、前記着色層の前記第２部分は、対応する各反射部に平面的に重なるように配設され、Ｃ光源を用いて前記第１部分及び前記第２部分のそれぞれに対して光を一回通過させてそれぞれの分光透過率曲線を描いた場合に、４００ｎｍ≦波長λ≦５００ｎｍ又は波長６００ｎｍ≦波長λ≦７００ｎｍにおいて前記分光透過率曲線の各々の平均透過率を求めると、前記第２部分に対応する前記平均透過率は、前記第１部分に対応する前記平均透過率よりも大きいことを特徴とする。
【００２２】
また、本発明のカラーフィルタ基板は、第１部分及び第２部分を含む着色層を有し、前記着色層は、４００ｎｍ≦波長λ＜５００ｎｍにおいて透過率のピークを有し、前記着色層の前記第１部分は、対応する各透過部に平面的に重なるように配設され、前記着色層の前記第２部分は、対応する各反射部に平面的に重なるように配設され、Ｃ光源を用いて前記第１部分及び前記第２部分のそれぞれに対して光を一回通過させてそれぞれの分光透過率曲線を描いた場合に、５００ｎｍ≦波長λ≦７００ｎｍにおいて前記分光透過率曲線の各々の平均透過率を求めると、前記第２部分に対応する前記平均透過率は、前記第１部分に対応する前記平均透過率よりも大きいことを特徴とする。
【００２３】
また、本発明の電気光学装置は、一対の基板を有する電気光学装置において、一方の前記基板には、実質的に光が透過可能な透過部及び光を反射する反射部を含む反射層を有し、他方の前記基板には、第１部分及び第２部分を含む着色層を有し、前記第１部分及び前記第２部分は、顔料を有し、前記第１部分は、前記透過部に平面的に重なり、前記第２部分は、前記反射部に平面的に重なり、前記第１部分は、前記第２部分よりも単位重量当たりの前記顔料の重量比が高いことを特徴とする。
【００２４】
また、本発明の電気光学装置は、一対の基板を有する電気光学装置において、一方の前記基板には、実質的に光が透過可能な透過部及び光を反射する反射部を含む反射層を有し、他方の前記基板には、第１部分及び第２部分を含む着色層を有し、前記第１部分及び前記第２部分は、顔料を有し、前記第１部分は、前記透過部に平面的に重なり、前記第２部分は、前記反射部に平面的に重なり、前記第１部分は、前記第２部分よりも単位体積当たりの前記顔料の体積比が高いことを特徴とする。
【００２５】
また、本発明の電気光学装置は、一対の基板を有する電気光学装置において、一方の前記基板には、実質的に光が透過可能な透過部及び光を反射する反射部を含む反射層を有し、他方の前記基板には、第１部分及び第２部分を含む着色層を有し、前記第１部分及び前記第２部分は、顔料を有し、前記第１部分は、前記透過部に平面的に重なり、前記第２部分は、前記反射部に平面的に重なり、前記第１部分は、前記第２部分よりも前記顔料のモル濃度が高いことを特徴とする。
【００２６】
このように構成することによって、反射型として十分な明るさの画像表示と、透過型として十分な色の濃さの画像表示を共に実現することができ、透過型と反射型との表示方式間における画像品質の差異を減少させることができるとともに、色再現性及びホワイトバランスに優れた画像表示を実現することができる。
【００２７】
また、本発明の電気光学装置は、一対の基板を有する電気光学装置において、一方の前記基板には、実質的に光が透過可能な複数の透過部及び光を反射する複数の反射部を含む反射層を有し、他方の前記基板には、各々色が異なる、少なくとも第１、第２及び第３の着色層を有し、各前記着色層は、第１部分及び第２部分を含み、各前記着色層の前記第１部分は、対応する各前記透過部に平面的に重なり、各前記着色層の前記第２部分は、対応する各前記反射部に平面的に重なり、Ｃ光源を用いて各前記着色層に光を一回通過させて、前記着色層の色度座標を算出し、ＣＩＥ１９３１色度図上にプロットした場合に、各前記着色層の前記第１部分の前記色度座標を頂点とする三角形の面積は、各前記着色層の前記第２部分の前記色度座標を頂点とする三角形の面積の１．１倍以上６．０倍以下であることを特徴とする。
【００２８】
また、本発明の電気光学装置は、実質的に光が透過可能な複数の透過部及び光を反射する複数の反射部を含む反射層、並びに各々色が異なる、少なくとも第１、第２及び第３の着色層を有し、各前記着色層は、第１部分及び第２部分を含み、且つ前記反射層に平面的に重なり、各前記着色層の前記第１部分は、対応する各前記透過部に平面的に重なり、各前記着色層の前記第２部分は、対応する各前記反射部に平面的に重なり、Ｃ光源を用いて各前記着色層に光を一回通過させて、前記着色層の色度座標を算出し、ＣＩＥ１９３１色度図上にプロットした場合に、各前記着色層の前記第１部分の前記色度座標を頂点とする三角形の面積は、各前記着色層の前記第２部分の前記色度座標を頂点とする三角形の面積の１．１倍以上６．０倍以下であることを特徴とする。
【００２９】
このように構成することによって、上述のほかに、第１、第２及び第３の着色層の第１部分は、透過型表示に用いる照明光の分光特性に合わせてそれぞれの色度座標を特定することができ、第１、第２及び第３の着色層の第２部分は、反射型表示に用いる外光の分光特性に合わせてそれぞれの色度座標を特定することができることから、異なる分光特性を有する光によって画像表示を行う半透過反射型の両表示方式において、それぞれが色再現性及びホワイトバランスに優れた画像表示を実現することができる。
【００３０】
また、本発明の電気光学装置は、一対の基板を有する電気光学装置において、一方の前記基板には、実質的に光が透過可能な透過部及び光を反射する反射部を含む反射層を有し、他方の前記基板には、第１部分及び第２部分を含む着色層を有し、前記第１部分及び前記第２部分は、互いに材料が異なり、前記第１部分は前記透過部に平面的に重なり、前記第２部分は前記反射部に平面的に重なることを特徴とする。
【００３１】
このように構成することによって、上述のほかに、異なる分光特性を有する光に対して簡易に対応することができる。なお、着色層の第１部分及び第２部分の各材料は、それぞれの着色層を同じ厚さに形成することができる材料を選択すると、その後の製作工程が容易になる。
【００３２】
また、本発明の電気光学装置は、一対の基板を有する電気光学装置において、一方の前記基板には、実質的に光が透過可能な複数の透過部及び光を反射する複数の反射部を含む反射層を有し、他方の前記基板には、各々色が異なる少なくとも第１、第２及び第３の着色層を有し、各前記着色層は、第１部分及び第２部分を含み、各前記着色層の前記第１部分は、対応する各前記透過部に平面的に重なり、各前記着色層の前記第２部分は、対応する各前記反射部に平面的に重なり、Ｃ光源を用いて各前記着色層に光を一回通過させて、前記着色層の色度座標を算出し、ＣＩＥ１９３１色度図上にプロットした場合に、各前記着色層の前記第１部分の前記色度座標を頂点とする三角形の面積は、ＮＴＳＣ受像３原色を頂点とする三角形の面積の０．２５倍以上０．３８倍以下であり、各前記着色層の前記第２部分の前記色度座標を頂点とする三角形の面積は、ＮＴＳＣ受像３原色を頂点とする三角形の面積の０．０６倍以上０．１３倍以下であることを特徴とする。
【００３３】
また、本発明の電気光学装置は、実質的に光が透過可能な複数の透過部及び光を反射する複数の反射部を含む反射層、並びに各々色が異なる少なくとも第１、第２及び第３の着色層を有し、各前記着色層は、第１部分及び第２部分を含み、且つ前記反射層に平面的に重なり、各前記着色層の前記第１部分は、対応する各前記透過部を平面的に覆っており、各前記着色層の前記第２部分は、対応する各前記反射部を平面的に覆っており、Ｃ光源を用いて各前記着色層に光を一回通過させて、前記着色層の色度座標を算出し、ＣＩＥ１９３１色度図上にプロットした場合に、各前記着色層の前記第１部分の前記色度座標を頂点とする三角形の面積は、ＮＴＳＣ受像３原色を頂点とする三角形の面積の０．２５倍以上０．３８倍以下であり、各前記着色層の前記第２部分の前記色度座標を頂点とする三角形の面積は、ＮＴＳＣ受像３原色を頂点とする三角形の面積の０．０６倍以上０．１３倍以下であることを特徴とする。
【００３４】
このように構成することによって、第１、第２及び第３の着色層の第１部分は、透過型表示に用いる照明光の分光特性に合わせてそれぞれの色度座標を特定することができ、第１、第２及び第３の着色層の第２部分は、反射型表示に用いる外光の分光特性に合わせてそれぞれの色度座標を特定することができることから、異なる分光特性を有する光によって画像表示を行う半透過反射型の両画像方式において、それぞれが色再現性及びホワイトバランスに優れた画像表示を実現することができる。
【００３５】
また、本発明の電気光学装置は、一対の基板を有する電気光学装置において、一方の前記基板には、実質的に光が透過可能な透過部及び光を反射する反射部を含む反射層を有し、他方の前記基板には、第１部分及び第２部分を含む着色層を有し、前記第１部分は、前記透過部に平面的に重なり、前記第２部分は、前記反射部に平面的に重なり、前記第１部分は、前記第２部分よりも光濃度が高いことを特徴とする。
【００３６】
このように構成することによって、上述と同様な機能、効果を発揮することができる。
【００３７】
ここで、光濃度とは、光の波長分布を偏らせる着色層の単位厚さ当たりの能力を意味し、光濃度が高ければ（大きければ）透過光の彩度は強くなり、光濃度が低ければ（小さければ）透過光の彩度は弱くなる。着色層が顔料や染料等の着色材を含んでいる場合には、この光濃度は、通常、その着色層を構成する材料の量と正の相関を有する。
【００３８】
また、本発明の電気光学装置は、一対の基板を有する電気光学装置において、一方の前記基板には、実質的に光が透過可能な透過部及び光を反射する反射部を含む反射層を有し、他方の前記基板には、第１部分及び第２部分を含む着色層を有し、前記第１部分は、前記透過部に平面的に重なり、前記第２部分は、前記反射部に平面的に重なり、Ｃ光源を用いて前記第１部分及び前記第２部分のそれぞれに対して光を一回通過させてそれぞれの分光透過率曲線を描いた場合に、可視光域において前記分光透過率曲線のピーク値が互いに異なることを特徴とする。
【００３９】
このように構成することによって、上述と同様な機能、効果を発揮することができる。
【００４０】
また、本発明の電気光学装置は、一対の基板を有する電気光学装置において、一方の前記基板には、実質的に光が透過可能な透過部及び光を反射する反射部を含む反射層を有し、他方の前記基板には、第１部分及び第２部分を含む着色層を有し、前記第１部分は、前記透過部に平面的に重なり、前記第２部分は、前記反射部に平面的に重なり、Ｃ光源を用いて前記第１部分及び前記第２部分のそれぞれに対して光を一回通過させてそれぞれの分光透過率曲線を描いた場合に、可視光域の所定の波長に対する前記分光透過率曲線の透過率値が互いに異なることを特徴とする。
【００４１】
また、本発明の電気光学装置は、一対の基板を有する電気光学装置において、一方の前記基板には、実質的に光が透過可能な透過部及び光を反射する反射部を含む反射層を有し、他方の前記基板には、第１部分及び第２部分を含む着色層を有し、前記第１部分は、前記透過部に平面的に重なり、前記第２部分は、前記反射部に平面的に重なり、Ｃ光源を用いて前記第１部分及び前記第２部分のそれぞれに対して光を一回通過させてそれぞれの分光透過率曲線を描いた場合に、可視光域において前記分光透過率曲線が互いに異なることを特徴とする。
【００４２】
このように構成することによって、上述のほかに、第１部分と第２部分の着色層は、同一の材料を用いて着色層の厚さを異ならせることによって形成することもできるため、原材料のコストを削減することができる。
【００４３】
また、本発明の電気光学装置は、一対の基板を有する電気光学装置において、一方の前記基板には、実質的に光が透過可能な透過部及び光を反射する反射部を含む反射層を有し、他方の前記基板には、第１部分及び第２部分を含む着色層を有し、前記第１部分は、前記透過部に平面的に重なり、前記第２部分は、前記反射部に平面的に重なり、Ｃ光源を用いて前記第１部分及び前記第２部分のそれぞれに対して光を一回通過させてそれぞれの分光透過率曲線を描いた場合に、前記第２部分の前記分光透過率曲線の可視光域での積分値は、前記第１部分の前記分光透過率曲線の可視光域での積分値よりも大きいことを特徴とする。
【００４４】
また、本発明の電気光学装置は、一対の基板を有する電気光学装置において、一方の前記基板には、実質的に光が透過可能な透過部及び光を反射する反射部を含む反射層を有し、他方の前記基板には、第１部分及び第２部分を含む着色層を有し、前記第１部分は、前記透過部に平面的に重なり、前記第２部分は、前記反射部に平面的に重なり、Ｃ光源を用いて前記第１部分及び前記第２部分のそれぞれに対して光を一回通過させてそれぞれの分光透過率曲線を描いた場合に、可視光域において前記分光透過率曲線の各々に対して下限値からピーク値の半値に対応する半値幅を求めると、前記第２部分に対応する前記半値幅は前記第１部分に対応する前記半値幅よりも大きいことを特徴とする。
【００４５】
また、本発明の電気光学装置は、実質的に光が透過可能な透過部及び光を反射する反射部を含む反射層、並びに第１部分及び第２部分を含む着色層を有し、前記着色層は、５００ｎｍ＜波長λ＜６００ｎｍにおいて透過率のピークを有し、前記反射層及び前記着色層は互いに平面的に重なり、前記第１部分は、前記透過部に平面的に重なり、前記第２部分は、前記反射部に平面的に重なり、Ｃ光源を用いて前記第１部分及び前記第２部分のそれぞれに対して光を一回通過させてそれぞれの分光透過率曲線を描いた場合に、可視光域において前記分光透過率曲線の各々に対して下限値からピーク値の半値に対応する半値幅を求めると、前記第１部分に対応する前記半値幅は、１１０ｎｍ〜１２５ｎｍであり、前記第２部分に対応する前記半値幅は、１３５ｎｍ〜１５０ｎｍであることを特徴とする。
【００４６】
また、本発明の電気光学装置は、一対の基板を有する電気光学装置において、一方の前記基板には、実質的に光が透過可能な透過部及び光を反射する反射部を含む反射層を有し、他方の前記基板には、第１部分及び第２部分を含む着色層を有し、前記第１部分は、前記透過部に平面的に重なり、前記第２部分は、前記反射部に平面的に重なり、Ｃ光源を用いて前記第１部分及び前記第２部分のそれぞれに対して光を一回通過させてそれぞれの分光透過率曲線を描いた場合に、可視光域において前記第１部分の前記分光透過率曲線のピーク値は、前記第２部分の前記分光透過率曲線のピーク値よりも小さいことを特徴とする。
【００４７】
このように構成することによって、反射型として十分な明るさの画像表示と、透過型として十分な色の濃さの画像表示を共に実現することができ、透過型と反射型との表示方式間における画像品質の差異を減少させることができる。例えば、透過型表示に用いる第１部分の着色層の分光透過率を示す曲線における波長域５００ｎｍ〜６００ｎｍのピークの半値幅を小さくすることで、余分な色を表示する光が着色層を透過することができなくなり、第１部分の着色層の厚さを厚く構成しても、色純度の高い画像表示を実現することができる。
【００４８】
また、本発明の電気光学装置は、実質的に光が透過可能な複数の透過部及び光を反射する複数の反射部を含む反射層、並びに各々色が異なる、少なくとも第１、第２及び第３の着色層を有し、各前記着色層は、第１部分及び第２部分を含み、且つ前記反射層に平面的に重なり、各前記着色層の前記第１部分は、対応する各前記透過部に平面的に重なり、各前記着色層の前記第２部分は、対応する各前記反射部に平面的に重なり、Ｃ光源を用いて各前記着色層に光を一回通過させて、前記着色層の色度座標を算出し、ＣＩＥ１９３１色度図上にプロットした場合に、前記第１の着色層の第１部分の色度座標は、ｘ１＝０．５４、ｙ１＝０．３４とし、（ｘ−ｘ１）2＋（ｙ−ｙ１）2≦（０．０５）2で表される領域に位置し、前記第２の着色層の第１部分の色度座標は、ｘ２＝０．３１、ｙ２＝０．４９とし、（ｘ−ｘ２）2＋（ｙ−ｙ２）2≦（０．０５）2で表される領域に位置し、前記第３の着色層の第１部分の色度座標は、ｘ３＝０．１５、ｙ３＝０．１９とし、（ｘ−ｘ３）2＋（ｙ−ｙ３）2≦（０．０５）2で表される領域に位置し、前記第１の着色層の第２部分の色度座標は、ｘ１＝０．４２、ｙ１＝０．３０とし、（ｘ−ｘ１）2＋（ｙ−ｙ１）2≦（０．０５）2で表される領域に位置し、前記第２の着色層の第２部分の色度座標は、ｘ２＝０．３１、ｙ２＝０．３５とし、（ｘ−ｘ２）2＋（ｙ−ｙ２）2≦（０．０５）2で表される領域に位置し、前記第３の着色層の第２部分の色度座標は、ｘ３＝０．２０、ｙ３＝０．２４とし、（ｘ−ｘ３）2＋（ｙ−ｙ３）2≦（０．０５）2で表される領域に位置することを特徴とする。
【００４９】
このように、第１、第２及び第３の着色層のそれぞれを、透過型表示用の着色層の第１部分と、反射型表示用の着色層の第２部分とに分けて構成することで、それぞれの表示を実現する光の分光特性、例えば、反射型表示においては室内光の分光特性、透過型表示においては照明装置のＬＥＤ等からの照明光の分光特性、に合わせて、着色層の第１部分及び第２部分を特定することができるので、反射型として十分な明るさの画像表示と、透過型として十分な色の濃さの画像表示を共に実現することができ、透過型と反射型との表示方式間における画像品質の差異を減少させるとともに、色再現性及びホワイトバランスに優れた画像表示を実現することができる。
【００５０】
また、本発明の電気光学装置は、一対の基板を有する電気光学装置において、一方の前記基板には、実質的に光が透過可能な透過部及び光を反射する反射部を含む反射層を有し、他方の前記基板には、第１部分及び第２部分を含む着色層を有し、前記着色層は、波長λ＞６００ｎｍにおいて透過率のピークを有し、前記第１部分は、前記透過部に平面的に重なり、前記第２部分は、前記反射部に平面的に重なり、Ｃ光源を用いて前記第１部分及び前記第２部分のそれぞれに対して光を一回通過させてそれぞれの分光透過率曲線を描いた場合に、４００ｎｍ≦波長λ≦６００ｎｍにおいて前記分光透過率曲線の各々の積分値を求めると、前記第２部分に対応する前記積分値は、前記第１部分に対応する前記積分値よりも大きいことを特徴とする。
【００５１】
また、本発明の電気光学装置は、一対の基板を有する電気光学装置において、一方の前記基板には、実質的に光が透過可能な透過部及び光を反射する反射部を含む反射層を有し、他方の前記基板には、第１部分及び第２部分を含む着色層を有し、前記着色層は、５００ｎｍ＜波長λ＜６００ｎｍにおいて透過率のピークを有し、前記第１部分は、前記透過部に平面的に重なり、前記第２部分は、前記反射部に平面的に重なり、Ｃ光源を用いて前記第１部分及び前記第２部分のそれぞれに対して光を一回通過させてそれぞれの分光透過率曲線を描いた場合に、４００ｎｍ≦波長λ≦５００ｎｍ又は６００ｎｍ≦波長λ≦７００ｎｍにおいて前記分光透過率曲線の各々の積分値を求めると、前記第２部分に対応する前記積分値は、前記第１部分に対応する前記積分値よりも大きいことを特徴とする。
【００５２】
また、本発明の電気光学装置は、一対の基板を有する電気光学装置において、一方の前記基板には、実質的に光が透過可能な透過部及び光を反射する反射部を含む反射層を有し、他方の前記基板には、第１部分及び第２部分を含む着色層を有し、前記着色層は、４００ｎｍ≦波長λ＜５００ｎｍにおいて透過率のピークを有し、前記第１部分は、前記透過部に平面的に重なり、前記第２部分は、前記反射部に平面的に重なり、Ｃ光源を用いて前記第１部分及び前記第２部分のそれぞれに対して光を一回通過させてそれぞれの分光透過率曲線を描いた場合に、５００ｎｍ≦波長λ≦７００ｎｍにおいて前記分光透過率曲線の各々の積分値を求めると、前記第２部分に対応する前記積分値は、前記第１部分に対応する前記積分値よりも大きいことを特徴とする。
【００５３】
また、本発明の電気光学装置は、一対の基板を有する電気光学装置において、一方の前記基板には、実質的に光が透過可能な透過部及び光を反射する反射部を含む反射層を有し、他方の前記基板には、第１部分及び第２部分を含む着色層を有し、前記着色層は、波長λ＞６００ｎｍにおいて透過率のピークを有し、前記第１部分は、前記透過部に平面的に重なり、前記第２部分は、前記反射部に平面的に重なり、Ｃ光源を用いて前記第１部分及び前記第２部分のそれぞれに対して光を一回通過させてそれぞれの分光透過率曲線を描いた場合に、４００ｎｍ≦波長λ≦６００ｎｍにおいて前記分光透過率曲線の各々の平均透過率を求めると、前記第２部分に対応する前記平均透過率は、前記第１部分に対応する前記平均透過率よりも大きいことを特徴とする。
【００５４】
また、本発明の電気光学装置は、一対の基板を有する電気光学装置において、一方の前記基板には、実質的に光が透過可能な透過部及び光を反射する反射部を含む反射層を有し、他方の前記基板には、第１部分及び第２部分を含む着色層を有し、前記着色層は、５００ｎｍ＜波長λ＜６００ｎｍにおいて透過率のピークを有し、前記第１部分は、前記透過部に平面的に重なり、前記第２部分は、前記反射部に平面的に重なり、Ｃ光源を用いて前記第１部分及び前記第２部分のそれぞれに対して光を一回通過させてそれぞれの分光透過率曲線を描いた場合に、４００ｎｍ≦波長λ≦５００ｎｍ又は波長６００ｎｍ≦波長λ≦７００ｎｍにおいて前記分光透過率曲線の各々の平均透過率を求めると、前記第２部分に対応する前記平均透過率は、前記第１部分に対応する前記平均透過率よりも大きいことを特徴とする。
【００５５】
また、本発明の電気光学装置は、一対の基板を有する電気光学装置において、一方の前記基板には、実質的に光が透過可能な透過部及び光を反射する反射部を含む反射層を有し、他方の前記基板には、第１部分及び第２部分を含む着色層を有し、前記着色層は、４００ｎｍ≦波長λ＜５００ｎｍにおいて透過率のピークを有し、前記第１部分は、前記透過部に平面的に重なり、前記第２部分は、前記反射部に平面的に重なり、Ｃ光源を用いて前記第１部分及び前記第２部分のそれぞれに対して光を一回通過させてそれぞれの分光透過率曲線を描いた場合に、５００ｎｍ≦波長λ≦７００ｎｍにおいて前記分光透過率曲線の各々の平均透過率を求めると、前記第２部分に対応する前記平均透過率は、前記第１部分に対応する前記平均透過率よりも大きいことを特徴とする。
【００５６】
このように構成することによって、第２部分の着色層（反射用カラーフィルタ）は、光が着色層（カラーフィルタ）を二回通過することで画像表示が暗くなるので、色として用いる波長域以外においても、比較的高い透過率を有するようにすることにより、明るさを向上させることができる。これに対して、光が一回しか通過しない第１部分の着色層（透過用カラーフィルタ）においては、明るさを向上させる必要がないので、色として用いる波長域以外で透過率を低くすることで色純度を高めることができる。したがって、第１部分の着色層（透過用カラーフィルタ）と第２部分の着色層（反射用カラーフィルタ）とを用いることによって、反射型カラー表示及び透過型カラー表示を良好に行うことができる。
【００５７】
また、本発明の電気光学装置の製造方法は、一対の基板を有する電気光学装置の製造方法において、一方の前記基板に、実質的に光が透過可能な透過部及び光を反射する反射部を含む反射層を形成する工程と、他方の前記基板に、着色層の第１部分を、少なくとも前記透過部に平面的に重なるように形成する工程と、他方の前記基板に、着色層の第２部分を、少なくとも前記反射部に平面的に重なるように形成する工程と、を具備することを特徴とする。
【００５８】
このように構成することによって、反射型として十分な明るさの画像表示と、透過型として十分な色の濃さの画像表示を共に実現することができ、透過型と反射型との表示方式間における画像品質の差異を減少させるとともに、色再現性及びホワイトバランスに優れた画像表示を実現することができる電気光学装置を効率よく且つ低コストで提供することができる。
【発明を実施するための最良の形態】
【００５９】
以下、本発明のカラーフィルタ基板、電気光学装置及びその製造方法並びに電子機器の実施の形態について、液晶装置を例にとって図面を参照しつつ具体的に説明する。なお、本実施の形態の説明に用いた各図においては、各層や各部材を図面上で認識可能な程度の大きさとするため、各層や各部材毎に縮尺を異ならしめてある。
【００６０】
［第１の実施の形態］
図１は、本発明の電気光学装置の第１の実施の形態である液晶装置の外観構造を示す概略斜視図である。図１に示すように、この液晶装置２００は、いわゆる半透過反射方式のパッシブマトリクス型の液晶装置であり、ガラス板や合成樹脂板等からなる透明な第１基板２１１を基体とする素子基板２１０と、第２基板２２１を基体とするカラーフィルタ基板２２０とが、電気光学物質としての液晶２３２を挟んでシール材２３０を介して貼り合わせられている。素子基板２１０の背面には、照明装置２７０が配置されている。
【００６１】
第１基板２１１の内面（第２基板２２１に対向する表面）上には複数並列したストライプ状の透明電極２１６が形成され、第２基板２２１の内面上には複数並列したストライプ状の透明電極２２２が形成されている。また、透明電極２１６は配線２１８Ａに導電接続され、上記透明電極２２２は配線２２８に導電接続されている。透明電極２１６と透明電極２２２とは相互に直交し、その交差領域はマトリクス状に配列された多数のドットを構成し、通常、三色のドットが１画素となり、この画素配列が液晶表示領域Ａを構成している。
【００６２】
第１基板２１１は、第２基板２２１の外形よりも外側に張り出してなる基板張出部２１０Ｔを有し、この基板張出部２１０Ｔ上には、上記配線２１８Ａ、上記配線２２８に対してシール材２３０の一部で構成される上下導通部を介して導電接続された配線２１８Ｂ、及び独立して形成された複数の配線パターンからなる入力端子部２１９が形成されている。また、基板張出部２１０Ｔ上には、これら配線２１８Ａ、２１８Ｂ、及び入力端子部２１９に対して導電接続されるように、液晶駆動回路等を内蔵した半導体ＩＣ２６１が実装されている。また、基板張出部２１０Ｔの端部には、上記入力端子部２１９に導電接続されるように、フレキシブル配線基板２６３が実装されている。
【００６３】
＜素子基板の構造＞
次に、図２を用いて、本実施の形態の液晶装置を構成する素子基板２１０の構造を詳細に説明する。図２は本実施の形態である液晶装置の構造を示す断面図である。図２に示すように、第１基板２１１の内面には、アルミニウム、銀もしくはこれらの合金、又はアルミニウム、銀もしくはこれらの合金と、チタン、窒化チタン、モリブデン、タンタル等との積層膜から構成された反射層２１２が形成され、反射層２１２には、実質的に光が透過可能な透過部２１２ａ及び光を反射する２１２ｂが形成されている。さらに、反射層２１２全域を覆うように、ＳｉＯ2やＴｉＯ2等の無機材料又はアクリル樹脂やエポキシ樹脂等の有機樹脂等から構成される表面保護層２１７が形成されている。
【００６４】
表面保護層２１７の上には複数並列したストライプ状のＩＴＯ（Ｉｎｄｉｕｍ  Ｔｉｎ  Ｏｘｉｄｅ）等の透明導電体からなる透明電極２１６が形成されている。透明電極２１６の上には、ポリイミド樹脂等からなる配向膜２２３が形成されている。また、第１基板２１１の外面には位相差板２４０及び偏光板２４１が配置されている。
【００６５】
＜カラーフィルタ基板の構造＞
一方、素子基板２１０と液晶２３２を挟んで対向配置されるカラーフィルタ基板２２０は、ガラス等からなる第２基板２２１の内面に、透明樹脂中に顔料や染料等の着色材を分散させて所定の色調を呈するようにして形成された着色層２１５と、着色層２１５を区画するように黒色遮光膜（ブラックマスク）２１５ＢＭとが形成されている。本実施の形態においては、着色層２１５は、Ｒ（赤）、Ｇ（緑）及びＢ（青）の三色の着色層２１５Ｒ、２１５Ｇ及び２１５Ｂから構成され、さらに各着色層２１５Ｒ、２１５Ｇ及び２１５Ｂは、素子基板２１０上に形成された反射層２１２の透過領域である透過部２１２ａに平面的に重なるように配置された、第１部分２１５Ｒａ、２１５Ｇａ、２１５Ｂａと、反射層２１２の反射部２１２ｂに平面的に重なるように配置された、第２部分２１５Ｒｂ、２１５Ｇｂ、２１５Ｂｂとから構成されている。この第１部分２１５Ｒａ、２１５Ｇａ、２１５Ｂａと、第２部分２１５Ｒｂ、２１５Ｇｂ、２１５Ｂｂとが配置されている領域が各ドットＤを構成している。
【００６６】
さらに、このように構成された着色層２１５Ｒ、２１５Ｇ、２１５Ｂの上には、ＳｉＯ2やＴｉＯ2等の無機材料又はアクリル樹脂やエポキシ樹脂等の有機樹脂等から構成される表面保護層２２５が形成され、ＩＴＯ等の透明導電体からなる透明電極２２２及びポリイミド樹脂等からなる配向膜２２４が順次積層されている。また、第２基板２２１の外面には位相差板２５０及び偏光板２５１が配置されている。
【００６７】
本実施の形態では、着色層２１５Ｒの第１部分２１５Ｒａは、第２部分２１５Ｒｂよりも単位重量当たりの顔料の重量比が高くなるように形成されている。同様に着色層２１５Ｇと２１５Ｂにおいても、第１部分２１５Ｇａ、２１５Ｂａは、第２部分２１５Ｇｂ、２１５Ｂｂよりも単位重量当たりの顔料の重量比が高くなるように形成されている。このように構成されることによって、透過型表示の場合において、着色層２１５の第１部分２１５Ｒａ、２１５Ｇａ、２１５Ｂａを一回しか通過しない透過光であっても、色の濃い画像表示をすることができる。
【００６８】
また、着色層２１５の第１部分２１５Ｒａ、２１５Ｇａ、２１５Ｂａは、第２部分２１５Ｒｂ、２１５Ｇｂ、２１５Ｂｂよりも単位体積当たりの顔料の体積比が高くなるような構成としてもよい。
【００６９】
また、着色層２１５の第１部分２１５Ｒａ、２１５Ｇａ、２１５Ｂａは、第２部分２１５Ｒｂ、２１５Ｇｂ、２１５Ｂｂよりも顔料のモル濃度が高くなるような構成としてもよい。
【００７０】
また、Ｃ光源を用いて各着色層２１５に光を一回通過させて、着色層２１５の色度座標を算出し、ＣＩＥ１９３１色度図上にプロットした場合に、各着色層２１５Ｒ、２１５Ｇ、２１５Ｂの第１部分２１５Ｒａ、２１５Ｇａ、２１５Ｂａの色度座標を頂点とする三角形の面積は、各着色層２１５Ｒ、２１５Ｇ、２１５Ｂの第２部分２１５Ｒｂ、２１５Ｇｂ、２１５Ｂｂの色度座標を頂点とする三角形の面積の１．１倍以上６．０倍以下となるような構成としてもよい。
【００７１】
ＣＩＥ１９３１（ｘｙ）色度図とは、図３に示すような、ｘ、ｙ座標を有する色度図を意味し、このｘ、ｙ座標は色度座標と呼ばれ、色相及び彩度よりなる色質を表している。例えば、図２に示した液晶装置２００の各着色層２１５Ｒ、２１５Ｇ及び２１５Ｂの第１部分２１５Ｒａ、２１５Ｇａ、２１５Ｂａの色度座標を頂点とする三角形Ｌと、各着色層２１５Ｒ、２１５Ｇ及び２１５Ｂの第２部分２１５Ｒｂ、２１５Ｇｂ、２１５Ｂｂの色度座標を頂点とする三角形Ｍとを、ＣＩＥ１９３１色度図上プロットすることによって、双方の色質を比較することができる。このようなＣＩＥ１９３１色度図を用いることで、各着色層の色の定量化を図ることが可能となり色の選択を容易に行うことができる。
【００７２】
また、着色層２１５の第１部分２１５Ｒａ、２１５Ｇａ、２１５Ｂａ及び第２部分２１５Ｒｂ、２１５Ｇｂ、２１５Ｂｂは、互いに材料が異なるような構成としてもよい。
【００７３】
さらに、Ｃ光源を用いて各着色層２１５Ｒ、２１５Ｇ及び２１５Ｂに光を一回通過させて、着色層２１５Ｒ、２１５Ｇ及び２１５Ｂの色度座標を算出し、ＣＩＥ１９３１色度図上にプロットした場合に、各着色層２１５Ｒ、２１５Ｇ及び２１５Ｂの第１部分２１５Ｒａ、２１５Ｇａ、２１５Ｂａの色度座標を頂点とする三角形の面積は、ＮＴＳＣ受像３原色を頂点とする三角形の面積の０．２５倍以上０．３８倍以下であり、各着色層２１５Ｒ、２１５Ｇ及び２１５Ｂの第２部分２１５Ｒｂ、２１５Ｇｂ、２１５Ｂｂの色度座標を頂点とする三角形の面積は、ＮＴＳＣ受像３原色を頂点とする三角形の面積の０．０６倍以上０．１３倍以下となるような構成としてもよい。
【００７４】
図４には、ＣＩＥ１９３１（ｘｙ）色度図上に、図２に示した液晶装置２００の各着色層２１５Ｒ、２１５Ｇ及び２１５Ｂの第１部分２１５Ｒａ、２１５Ｇａ、２１５Ｂａの色度座標を頂点とする三角形Ｌと、各着色層２１５Ｒ、２１５Ｇ及び２１５Ｂの第２部分２１５Ｒｂ、２１５Ｇｂ、２１５Ｂｂの色度座標を頂点とする三角形Ｍと、ＮＴＳＣ受像３原色を頂点とする三角形Ｎとが示されている。このＮＴＳＣ受像３原色とは、赤（０．６７，０．３３）、緑（０．２１，０．７１）、青（０．１４，０．０８）の３原色で、カラーフィルタの色再現性及び明るさ等の指標として多く用いられている。このように規格となる色を用いることによって各着色層の色の選択を容易に行うことができる。
【００７５】
また、図５に示すように、Ｌ＊ａ＊ｂ＊表色系の色空間を用いて、各着色層の色度座標を示すことができる。図５においては、図２に示した液晶装置２００の各着色層２１５Ｒ、２１５Ｇ及び２１５Ｂの第１部分２１５Ｒａ、２１５Ｇａ、２１５Ｂａの色度座標を頂点とする三角形Ｌと、各着色層２１５Ｒ、２１５Ｇ及び２１５Ｂの第２部分２１５Ｒｂ、２１５Ｇｂ、２１５Ｂｂの色度座標を頂点とする三角形Ｍとが示されている。このＬ＊ａ＊ｂ＊表色系の、Ｌ＊は明度を表し、ａ＊とｂ＊とは色相と彩度とからなる色知覚を示している。色度座標Ｌ＊、ａ＊及びｂ＊は、前述したＣＩＥ１９３１色度座標をＬ＊ａ＊ｂ＊表色系に変換することで求めることができる。このようなＬ＊ａ＊ｂ＊表色系等の色空間を用いることによっても各着色層の色を選択することができる。
【００７６】
また、着色層２１５の第１部分２１５Ｒａ、２１５Ｇａ、２１５Ｂａは、第２部分２１５Ｒｂ、２１５Ｇｂ、２１５Ｂｂよりも光濃度が高くなるような構成としてもよい。
【００７７】
さらに、Ｃ光源を用いて第１部分２１５Ｒａ、２１５Ｇａ、２１５Ｂａ及び第２部分２１５Ｒｂ、２１５Ｇｂ、２１５Ｂｂのそれぞれに対して光を一回通過させてそれぞれの分光透過率曲線を描いた場合に、可視光域において分光透過率曲線のピーク値が互いに異なるような構成としてもよい。ここでいう可視光域とは、波長３８０ｎｍ以上７８０ｎｍ以下の波長域のことである。
【００７８】
図６、７に示した分光透過率曲線は、測定用の透過用カラーフィルタ（着色層の第１部分）及び反射用カラーフィルタ（着色層の第２部分）を、実際に画像表示に用いられるカラーフィルタと成膜条件及び膜厚が同一のものをガラス基板上に形成し、それらの特性を測定したものであり、図６は、透過用カラーフィルタ（着色層の第１部分）の分光透過率曲線、図７は、反射用カラーフィルタ（着色層の第２部分）の分光透過率曲線を示している。例えば、図６に示すように、各着色層の第１部分のそれぞれの分光透過率曲線Ｒ１、Ｇ１、Ｂ１のピーク値ｒ１、ｇ１、ｂ１は、ｒ１は波長が６９０ｎｍにおいて透過率９９．５％、ｇ１は波長が５４０ｎｍにおいて透過率９０．０％、ｂ１は波長が４６０ｎｍにおいて透過率９１．４％となっており、また、図７に示すように、各着色層の第２部分のそれぞれの分光透過率曲線Ｒ２、Ｇ２、Ｂ２のピーク値ｒ２、ｇ２、ｂ２は、ｒ２は波長が７００ｎｍにおいて透過率９９．０％、ｇ２は波長が５３０ｎｍにおいて透過率９６．７％、ｂ２は波長が４６０ｎｍにおいて透過率９２．９％となっている。各着色層は、このような分光透過率曲線のピーク値（波長及び透過率）によって、その性質等の多くが決定してしまうことがある。このために、各着色層の第１部分と第２部分との分光透過率曲線のピーク値を異なるように形成することによって、透過表示及び反射表示に用いられる双方の着色層を明確に異ならしめることができる。
【００７９】
また、Ｃ光源を用いて第１部分２１５Ｒａ、２１５Ｇａ、２１５Ｂａ及び第２部分２１５Ｒｂ、２１５Ｇｂ、２１５Ｂｂのそれぞれに対して光を一回通過させてそれぞれの分光透過率曲線を描いた場合に、可視光域の所定の波長に対する分光透過率曲線の透過率値が互いに異なるような構成としてもよい。
【００８０】
また、Ｃ光源を用いて第１部分２１５Ｒａ、２１５Ｇａ、２１５Ｂａ及び第２部分２１５Ｒｂ、２１５Ｇｂ、２１５Ｂｂのそれぞれに対して光を一回通過させてそれぞれの分光透過率曲線を描いた場合に、可視光域において分光透過率曲線が互いに異なるような構成としてもよい。この際、可視光域は、３８０ｎｍ以上７８０ｎｍ以下の波長域であり、この可視光域において、第２部分の分光透過率曲線は、第１部分の分光透過率曲線よりも透過率値が大きくなるような構成としてもよい。
【００８１】
また、Ｃ光源を用いて第１部分２１５Ｒａ、２１５Ｇａ、２１５Ｂａ及び第２部分２１５Ｒｂ、２１５Ｇｂ、２１５Ｂｂのそれぞれに対して光を一回通過させてそれぞれの分光透過率曲線を描いた場合に、第２部分の分光透過率曲線の可視光域での積分値は、第１部分の分光透過率曲線の可視光域での積分値よりも大きくなるような構成としてもよい。
【００８２】
ここで、図８を用いて、各分光透過率曲線の積分値の算出方法について説明する。各分光透過率曲線の積分値は、所定の分光透過率曲線Ｆを波長１０ｎｍ毎に短冊１１０状に分割し、これら短冊１１０状の面積を個々に算出し、所定領域における、これらの面積を合計することによって算出した。
【００８３】
図９及び１０に示した分光透過率曲線は、測定用の透過用カラーフィルタ（着色層の第１部分）及び反射用カラーフィルタ（着色層の第２部分）を、実際に画像表示に用いられるカラーフィルタと成膜条件及び膜厚が同一のものをガラス基板上に形成し、それらの特性を測定したものであり、図９は、透過用カラーフィルタ（着色層の第１部分）の分光透過率曲線、図１０は、反射用カラーフィルタ（着色層の第２部分）の分光透過率曲線示している。この測定は、透過用及び反射用カラーフィルタのそれぞれに、Ｃ光源を用いて光を一回通過させ、分光強度計を用いて通過後の光を測定したものである。例えば、上述した算出方法によって、図９及び１０に示す分光透過率曲線の可視光域（４００ｎｍから７００ｎｍ）における積分値を算出すると、各着色層の第１部分の分光透過率曲線Ｒ１、Ｇ１、Ｂ１の各々の積分値は、Ｒ１は１２５１２．４、Ｇ１は１２７４８．７、Ｂ１は１２４２０．９となり、各着色層の第２部分の分光透過率曲線Ｒ２、Ｇ２、Ｂ２の各々の積分値は、Ｒ２は１７５４２．５、Ｇ２は２３２６４．３、Ｂ２は１６４４１．９となっている。このように、第２部分の分光透過率曲線の可視光域（４００ｎｍから７００ｎｍ）での積分値は、第１部分の分光透過率曲線の可視光域（４００ｎｍから７００ｎｍ）での積分値よりも大きくなっている。
【００８４】
このように構成することによって、第２部分の着色層（反射用カラーフィルタ）は、光が着色層（カラーフィルタ）を二回通過することで画像表示が暗くなるので、色として用いる波長域以外においても、比較的高い透過率を有するようにすることにより、明るさを向上させることができる。これに対して、光が一回しか通過しない第１部分の着色層（透過用カラーフィルタ）においては、明るさを向上させる必要がないので、色として用いる波長域以外で透過率を低くすることで色純度を高めることができる。したがって、第１部分の着色層（透過用カラーフィルタ）と第２部分の着色層（反射用カラーフィルタ）とを用いることによって、反射型カラー表示及び透過型カラー表示を良好に行うことができる。
【００８５】
また、Ｃ光源を用いて第１部分２１５Ｒａ、２１５Ｇａ、２１５Ｂａ及び第２部分２１５Ｒｂ、２１５Ｇｂ、２１５Ｂｂのそれぞれに対して光を一回通過させてそれぞれの分光透過率曲線を描いた場合に、可視光域において分光透過率曲線の各々に対して下限値からピーク値の半値に対応する半値幅を求めると、第２部分に対応する半値幅は第１部分に対応する半値幅よりも大きくなるような構成としてもよい。
【００８６】
ここで、図１１を用いて半値幅について説明する。図１１は、Ｇ（緑）の着色層の分光透過率曲線Ｇ１を示すグラフである。グラフの横軸は波長を示し、縦軸は着色層の透過率を示している。半値幅とは、ある特定波長域（本発明においては可視光域）において、透過率の下限値Ｔminとピーク値Ｔmaxとの中間の透過率値ＴからＸ軸と平行に直線を延ばして、Ｇ（緑）の着色層の分光透過率曲線Ｇ１と交わる２点Ｐ（λ1，Ｔ）、Ｑ（λ2，Ｔ）間の幅、すなわち、「λ2−λ1」を意味する。
【００８７】
図１２〜１７に示した分光透過率曲線は、測定用の透過用カラーフィルタ（着色層の第１部分）及び反射用カラーフィルタ（着色層の第２部分）を、実際に画像表示に用いられるカラーフィルタと成膜条件及び膜厚が同一のものをガラス基板上に形成し、それらの特性を測定したものであり、図１２、１４、１６は透過用カラーフィルタ（着色層の第１部分）の分光透過率曲線、図１３、１５、１７は反射用カラーフィルタ（着色層の第２部分）の分光透過率曲線を示している。
この測定は、透過用及び反射用カラーフィルタのそれぞれに、Ｃ光源を用いて光を一回通過させ、分光強度計を用いて通過後の光を測定したものである。例えば、図１２に示すような、着色層Ｇ（緑）の第１部分の分光透過率曲線Ｇ１の下限値からピーク値の半値に対応する半値幅を算出すると、透過率の下限値Ｔminが９．５％（波長４３０ｎｍ）、ピーク値Ｔmaxが９０．０％（波長５４０ｎｍ）であることから、中間の透過率値Ｔを算出し、この中間の透過率値ＴからＸ軸と平行に直線を延ばして、分光透過率曲線と交わる２点Ｐ（波長４８０ｎｍ）とＱ（波長６００ｎｍ）との幅１２０ということになる。また、図１３に示すような、着色層Ｇ（緑）の第２部分の分光透過率曲線Ｇ２の下限値からピーク値の半値に対応する半値幅を算出すると、透過率の下限値Ｔminは５６．２％（波長４００ｎｍ）と、ピーク値Ｔmaxは９６．７％（波長５３０ｎｍ）とより、中間の透過率値Ｔを算出し、この中間の透過率値ＴからＸ軸と平行に直線を延ばして、分光透過率曲線と交わる２点Ｐ（波長４７０ｎｍ）とＱ（波長６１０ｎｍ）との幅１４０ということになる。このように、第２部分に対応する半値幅は、第１部分に対応する半値幅よりも大きくなるように構成されている。
【００８８】
また、図１４に示すような、着色層Ｒ（赤）の第１部分の分光透過率曲線Ｒ１の下限値からピーク値の半値に対応する半値幅を算出すると、透過率の下限値Ｔminが３．７％（波長４７０ｎｍ）、ピーク値Ｔmaxが９９．５％（波長６９０ｎｍ）であることから、中間の透過率値Ｔを算出し、この中間の透過率値ＴからＸ軸と平行に直線を延ばして、分光透過率曲線と交わる２点Ｐ（波長５９０ｎｍ）とＱ（波長７００ｎｍ）との幅１１０ということになる。この際、点Ｑは透過率値ＴからＸ軸と平行な直線と交わってはいないが、分光透過率曲線と交わる点Ｐ、Ｑの２点は、特定波長域（４００ｎｍから７００ｎｍ）において算出されるため、点Ｑは特定波長域の最大値７００ｎｍということになる。また、図１５に示すような、着色層Ｒ（赤）の第２部分の分光透過率曲線Ｇ２の下限値からピーク値の半値に対応する半値幅を算出すると、透過率の下限値Ｔminは１８．０％（波長５５０ｎｍ）と、ピーク値Ｔmaxは９９．０％（波長７００ｎｍ）とより、中間の透過率値Ｔを算出し、この中間の透過率値ＴからＸ軸と平行に直線を延ばして、分光透過率曲線と交わる２点Ｐ（波長５８０ｎｍ）とＱ（波長７００ｎｍ）との幅１２０ということになる。この場合も、点Ｑは特定波長域の最大値７００ｎｍということになる。
【００８９】
さらに、図１６に示すような、着色層Ｂ（青）の第１部分の分光透過率曲線Ｂ１の下限値からピーク値の半値に対応する半値幅を算出すると、透過率の下限値Ｔminが２．３％（波長６１０ｎｍ）、ピーク値Ｔmaxが９１．４％（波長４６０ｎｍ）であることから、中間の透過率値Ｔを算出し、この中間の透過率値ＴからＸ軸と平行に直線を延ばして、分光透過率曲線と交わる２点Ｐ（波長４００ｎｍ）とＱ（波長５３０ｎｍ）との幅１３０ということになる。この際、点Ｐは透過率値ＴからＸ軸と平行な直線と交わってはいないが、分光透過率曲線と交わる点Ｐ、Ｑの２点は、特定波長域（４００ｎｍから７００ｎｍ）において算出されるため、点Ｐは特定波長域の最小値４００ｎｍということになる。また、図１７に示すような、着色層Ｂ（青）の第２部分の分光透過率曲線Ｂ２の下限値からピーク値の半値に対応する半値幅を算出すると、透過率の下限値Ｔminは１７．５％（波長６１０ｎｍ）と、ピーク値Ｔmaxは９２．９％（波長４６０ｎｍ）とより、中間の透過率値Ｔを算出し、この中間の透過率値ＴからＸ軸と平行に直線を延ばして、分光透過率曲線と交わる２点Ｐ（波長４００ｎｍ）とＱ（波長５４０ｎｍ）との幅１４０ということになる。この場合も、点Ｐは特定波長域の最小値４００ｎｍということになる。
【００９０】
また、着色層は、５００ｎｍ＜波長λ＜６００ｎｍにおいて透過率のピークを有し、反射層及び着色層は互いに平面的に重なり、第１部分は、透過部に平面的に重なり、第２部分は、反射部に平面的に重なり、Ｃ光源を用いて第１部分及び第２部分のそれぞれに対して光を一回通過させてそれぞれの分光透過率曲線を描いた場合に、可視光域において分光透過率曲線の各々に対して下限値からピーク値の半値に対応する半値幅を求めると、第１部分に対応する半値幅は、１１０ｎｍ〜１２５ｎｍとなり、第２部分に対応する半値幅は、１３５ｎｍ〜１５０ｎｍとなるような構成としてもよい。
【００９１】
また、Ｃ光源を用いて第１部分及び第２部分のそれぞれに対して光を一回通過させてそれぞれの分光透過率曲線を描いた場合に、可視光域において第１部分の分光透過率曲線のピーク値は、第２部分の分光透過率曲線のピーク値よりも小さくなるような構成としてもよい。
【００９２】
また、Ｃ光源を用いて各着色層に光を一回通過させて、着色層の色度座標を算出し、ＣＩＥ１９３１色度図上にプロットした場合に、第１の着色層の第１部分の色度座標は、ｘ１＝０．５４、ｙ１＝０．３４とし、（ｘ−ｘ１）2＋（ｙ−ｙ１）2≦（０．０５）2で表される領域に位置し、第２の着色層の第１部分の色度座標は、ｘ２＝０．３１、ｙ２＝０．４９とし、（ｘ−ｘ２）2＋（ｙ−ｙ２）2≦（０．０５）2で表される領域に位置し、第３の着色層の第１部分の色度座標は、ｘ３＝０．１５、ｙ３＝０．１９とし、（ｘ−ｘ３）2＋（ｙ−ｙ３）2≦（０．０５）2で表される領域に位置し、第１の着色層の第２部分の色度座標は、ｘ１＝０．４２、ｙ１＝０．３０とし、（ｘ−ｘ１）2＋（ｙ−ｙ１）2≦（０．０５）2で表される領域に位置し、第２の着色層の第２部分の色度座標は、ｘ２＝０．３１、ｙ２＝０．３５とし、（ｘ−ｘ２）2＋（ｙ−ｙ２）2≦（０．０５）2で表される領域に位置し、第３の着色層の第２部分の色度座標は、ｘ３＝０．２０、ｙ３＝０．２４とし、（ｘ−ｘ３）2＋（ｙ−ｙ３）2≦（０．０５）2で表される領域に位置するような構成としてもよい。
【００９３】
このように、三色の着色層２１５Ｒ、２１５Ｇ、２１５Ｂのそれぞれを、透過型表示用の着色層の第１部分２１５Ｒａ、２１５Ｇａ、２１５Ｂａと、反射型表示用の着色層の第２部分２１５Ｒｂ、２１５Ｇｂ、２１５Ｂｂとに分けて構成することによって、それぞれの表示を実現する光の分光特性、例えば、反射型表示においては室内光の分光特性、透過型表示においては照明装置２７０に配置されたＬＥＤ等の光の分光特性、に合わせて、着色層の第１部分２１５Ｒａ、２１５Ｇａ、２１５Ｂａ及び第２部分２１５Ｒｂ、２１５Ｇｂ、２１５Ｂｂを特定することができるので、反射型として十分な明るさの画像表示と、透過型として十分な色の濃さの画像表示を共に実現することができ、透過型と反射型との表示方式間における画像品質の差異を減少させることができるとともに、色再現性及びホワイトバランスに優れた画像表示を実現することができる。
【００９４】
また、着色層は、波長λ＞６００ｎｍにおいて透過率のピークを有し、第１部分は、透過部に平面的に重なり、第２部分は、反射部に平面的に重なり、Ｃ光源を用いて第１部分及び第２部分のそれぞれに対して光を一回通過させてそれぞれの分光透過率曲線を描いた場合に、４００ｎｍ≦波長λ≦６００ｎｍにおいて分光透過率曲線の各々の積分値を求めると、第２部分に対応する積分値は、第１部分に対応する積分値よりも大きくなるような構成としてもよい。
【００９５】
また、着色層は、５００ｎｍ＜波長λ＜６００ｎｍにおいて透過率のピークを有し、第１部分は、透過部に平面的に重なり、第２部分は、反射部に平面的に重なり、Ｃ光源を用いて第１部分及び第２部分のそれぞれに対して光を一回通過させてそれぞれの分光透過率曲線を描いた場合に、４００ｎｍ≦波長λ≦５００ｎｍ又は６００ｎｍ≦波長λ≦７００ｎｍにおいて分光透過率曲線の各々の積分値を求めると、第２部分に対応する積分値は、第１部分に対応する積分値よりも大きくなるような構成としてもよい。
【００９６】
また、着色層は、４００ｎｍ≦波長λ＜５００ｎｍにおいて透過率のピークを有し、第１部分は、透過部に平面的に重なり、第２部分は、反射部に平面的に重なり、Ｃ光源を用いて第１部分及び第２部分のそれぞれに対して光を一回通過させてそれぞれの分光透過率曲線を描いた場合に、５００ｎｍ≦波長λ≦７００ｎｍにおいて分光透過率曲線の各々の積分値を求めると、第２部分に対応する積分値は、第１部分に対応する積分値よりも大きくなるような構成としてもよい。
【００９７】
図１８〜２３に示した分光透過率曲線は、測定用の透過用カラーフィルタ（着色層の第１部分）及び反射用カラーフィルタ（着色層の第２部分）を、実際に画像表示に用いられるカラーフィルタと成膜条件及び膜厚が同一のものをガラス基板上に形成し、それらの特性を測定したものであり、図１８、２０、２２は透過用カラーフィルタ（着色層の第１部分）の分光透過率曲線、図１９、２１、２３は反射用カラーフィルタ（着色層の第２部分）の分光透過率曲線示している。この測定は、透過用及び反射用カラーフィルタのそれぞれに、Ｃ光源を用いて光を一回通過させ、分光強度計を用いて通過後の光を測定したものである。例えば、図１８に示すような、波長λ＞６００ｎｍにおいて透過率のピークを有する着色層Ｒ（赤）の第１部分の分光透過率曲線Ｒ１の４００ｎｍ≦波長λ≦６００ｎｍにおける各々の積分値は、斜線部Ａを積分することで求めることができ、また、図１９に示すような、波長λ＞６００ｎｍにおいて透過率のピークを有する着色層Ｒ（赤）の第２部分の分光透過率曲線Ｒ２の４００ｎｍ≦波長λ≦６００ｎｍにおける各々の積分値は、斜線部Ｂを積分することで求めることができる。この分光透過率曲線の積分値は、上述したように、分光透過率曲線を波長１０ｎｍ毎に短冊状に分割し、これら短冊状の面積を個々に算出し、これらの面積を合計することによって算出することによって求めることができる。斜線部Ａの積分値は３０８２．５４、斜線部Ｂの積分値は７７０３．９１であり、第２部分に対応する積分値は、第１部分に対応する積分値よりも大きくなっている。
【００９８】
また、図２０に示すような、５００ｎｍ＜波長λ＜６００ｎｍにおいて透過率のピークを有する着色層Ｇ（緑）の第１部分の分光透過率曲線Ｇ１の４００ｎｍ≦波長λ≦５００ｎｍ又は６００ｎｍ≦波長λ≦７００ｎｍにおける各々の積分値は、斜線部Ｃ、Ｄを積分することで求めることができ、また、図２１に示すような、５００ｎｍ＜波長λ＜６００ｎｍにおいて透過率のピークを有する着色層Ｇ（緑）の第２部分の分光透過率曲線Ｇ２の４００ｎｍ≦波長λ≦５００ｎｍ又は６００ｎｍ≦波長λ≦７００ｎｍにおける各々の積分値は、斜線部Ｅ、Ｆを積分することで求めることができる。斜線部Ｃ、Ｄの積分値は２３４９．１８と２０７２．７４、斜線部Ｅ、Ｆの積分値は６８３５．０６と６９５５であり、第２部分に対応する各積分値は、第１部分に対応する各積分値よりも大きくなっている。
【００９９】
さらに、図２２に示すような、４００ｎｍ≦波長λ＜５００ｎｍにおいて透過率のピークを有する着色層Ｂ（青）の第１部分の分光透過率曲線Ｇ１の５００ｎｍ≦波長λ≦７００ｎｍにおける各々の積分値は、斜線部Ｇを積分することで求めることができ、また、図２３に示すような、４００ｎｍ≦波長λ＜５００ｎｍにおいて透過率のピークを有する着色層Ｂ（青）の第２部分の分光透過率曲線Ｇ２の５００ｎｍ≦波長λ≦７００ｎｍにおける各々の積分値は、斜線部Ｈを積分することで求めることができる。斜線部Ｇの積分値は４２５７．４６、斜線部Ｈの積分値は７７５４．１６であり、第２部分に対応する各積分値は、第１部分に対応する各積分値よりも大きくなっている。
【０１００】
このように構成することによって、第２部分の着色層（反射用カラーフィルタ）は、光が着色層（カラーフィルタ）を二回通過することで画像表示が暗くなるので、色として用いる波長域以外においても、比較的高い透過率を有するようにすることにより、明るさを向上させることができる。これに対して、光が一回しか通過しない第１部分の着色層（透過用カラーフィルタ）においては、明るさを向上させる必要がないので、色として用いる波長域以外で透過率を低くすることで色純度を高めることができる。したがって、第１部分の着色層（透過用カラーフィルタ）と第２部分の着色層（反射用カラーフィルタ）とを用いることによって、反射型カラー表示及び透過型カラー表示を良好に行うことができる。
【０１０１】
また、着色層は、波長λ＞６００ｎｍにおいて透過率のピークを有し、第１部分は、透過部に平面的に重なり、第２部分は、反射部に平面的に重なり、Ｃ光源を用いて第１部分及び第２部分のそれぞれに対して光を一回通過させてそれぞれの分光透過率曲線を描いた場合に、４００ｎｍ≦波長λ≦６００ｎｍにおいて分光透過率曲線の各々の平均透過率を求めると、第２部分に対応する平均透過率は、第１部分に対応する平均透過率よりも大きくなるような構成としてもよい。
【０１０２】
図１８及び１９に示した分光透過率曲線においては、波長λ＞６００ｎｍにおいて透過率のピークを有する第１部分の分光透過率曲線Ｒ１（図１８参照）の、４００ｎｍ≦波長λ≦６００ｎｍにおける平均透過率は１８．６％であり、波長λ＞６００ｎｍにおいて透過率のピークを有する第２部分の分光透過率曲線Ｒ２（図１９参照）の、４００ｎｍ≦波長λ≦６００ｎｍにおける平均透過率は４１．３％である。このように、第２部分に対応する平均透過率は、第１部分に対応する平均透過率よりも大きくなっている。
【０１０３】
また、着色層は、５００ｎｍ＜波長λ＜６００ｎｍにおいて透過率のピークを有し、第１部分は、透過部に平面的に重なり、第２部分は、反射部に平面的に重なり、Ｃ光源を用いて第１部分及び第２部分のそれぞれに対して光を一回通過させてそれぞれの分光透過率曲線を描いた場合に、４００ｎｍ≦波長λ≦５００ｎｍ又は波長６００ｎｍ≦波長λ≦７００ｎｍにおいて分光透過率曲線の各々の平均透過率を求めると、第２部分に対応する平均透過率は、第１部分に対応する平均透過率よりも大きくなるような構成としてもよい。
【０１０４】
図２０及び２１に示した分光透過率曲線においては、５００ｎｍ＜波長λ＜６００ｎｍにおいて透過率のピークを有する第１部分の分光透過率曲線Ｇ１（図２０参照）の、４００ｎｍ≦波長λ≦５００ｎｍと波長６００ｎｍ≦波長λ≦７００ｎｍとにおける平均透過率は２９．０％と２１．７％であり、５００ｎｍ＜波長λ＜６００ｎｍにおいて透過率のピークを有する第２部分の分光透過率曲線Ｇ２（図２１参照）の、４００ｎｍ≦波長λ≦５００ｎｍと波長６００ｎｍ≦波長λ≦７００ｎｍとにおける平均透過率は７０．６％と７０．２％である。このように、第２部分に対応する平均透過率は、第１部分に対応する平均透過率よりも大きくなっている。
【０１０５】
また、着色層は、４００ｎｍ≦波長λ＜５００ｎｍにおいて透過率のピークを有し、第１部分は、透過部に平面的に重なり、第２部分は、反射部に平面的に重なり、Ｃ光源を用いて第１部分及び第２部分のそれぞれに対して光を一回通過させてそれぞれの分光透過率曲線を描いた場合に、５００ｎｍ≦波長λ≦７００ｎｍにおいて分光透過率曲線の各々の平均透過率を求めると、第２部分に対応する平均透過率は、第１部分に対応する平均透過率よりも大きくなるような構成としてもよい。
【０１０６】
図２２及び２３に示した分光透過率曲線においては、４００ｎｍ≦波長λ＜５００ｎｍにおいて透過率のピークを有する第１部分の分光透過率曲線Ｂ１（図２２参照）の、５００ｎｍ≦波長λ≦７００ｎｍにおける平均透過率は２０．８％であり、４００ｎｍ≦波長λ＜５００ｎｍにおいて透過率のピークを有する第２部分の分光透過率曲線Ｂ２（図２３参照）の、５００ｎｍ≦波長λ≦７００ｎｍにおける平均透過率は３８．６％である。このように、第２部分に対応する平均透過率は、第１部分に対応する平均透過率よりも大きくなっている。
【０１０７】
このように構成することによって、第２部分の着色層（反射用カラーフィルタ）は、光が着色層（カラーフィルタ）を二回通過することで画像表示が暗くなるので、色として用いる波長域以外においても、比較的高い透過率を有するようにすることにより、明るさを向上させることができる。これに対して、光が一回しか通過しない第１部分の着色層（透過用カラーフィルタ）においては、明るさを向上させる必要がないので、色として用いる波長域以外で透過率を低くすることで色純度を高めることができる。したがって、第１部分の着色層（透過用カラーフィルタ）と第２部分の着色層（反射用カラーフィルタ）とを用いることによって、反射型カラー表示及び透過型カラー表示を良好に行うことができる。
【０１０８】
＜照明装置の構造＞
次に、照明装置の構造について説明する。図２に示すように、第１基板２１１の背面に配設された照明装置２７０は、ＬＥＤ等の光源と、導光板とを有している。ＬＥＤ等の光源は、導光板の側面側に対向するように配置され、この側端面に対して光を照射する。導光板はこの側端面に入射したＬＥＤ等からの光を、液晶装置２００の基板面（第１基板２１１の表面）に対して一様に導くための板状部材である。
【０１０９】
このような照明装置２７０から、素子基板２１０に対して照射される、透過型表示を実現するための照明光と、反射型表示を実現するための室内光とは互いに分光特性が異なることがあり、上述したように、各々の分光特性に合わせた着色層２１５Ｒ、２１５Ｇ、２１５Ｂの第１部分２１５Ｒａ、２１５Ｇａ、２１５Ｂａ及び第２部分２１５Ｒｂ、２１５Ｇｂ、２１５Ｂｂを特定することによって、透過型及び反射型のどちらの画像表示においても、色再現性及びホワイトバランスに優れた画像表示を実現することができる。
【０１１０】
［第２の実施の形態］
次に、本発明の第２の実施の形態の液晶装置について、図２４を用いて説明する。図２４は、本実施の形態である液晶装置の構造を示す断面図である。本実施の形態は、液晶装置３００を構成するカラーフィルタ基板３２０の構造以外については、図２に示した第１の実施の形態と同様に構成されるため、同様の各要素には、図２と同一の符号を付して説明を省略する。
【０１１１】
本実施の形態を構成するカラーフィルタ基板３２０は、ガラス等からなる第２基板３２１上に、透明樹脂中に顔料や染料等の着色材を分散させて所定の色調を呈するようにして形成された着色層３１５と、黒色遮光膜（ブラックマスク）３１５ＢＭとが形成されている。本実施の形態においては、着色層３１５は、Ｒ（赤）、Ｇ（緑）及びＢ（青）の三色の着色層３１５Ｒ、３１５Ｇ及び３１５Ｂから構成され、さらに各着色層３１５Ｒ、３１５Ｇ及び３１５Ｂは、素子基板２１０上に形成された反射層２１２の透過領域である透過部２１２ａに平面的に重なるように配置された、第１部分３１５Ｒａ、３１５Ｇａ、３１５Ｂａと、反射層２１２の反射部２１２ｂに平面的に重なるように配置された、第２部分３１５Ｒｂ、３１５Ｇｂ、３１５Ｂｂから構成されている。
【０１１２】
さらに、このように構成された着色層３１５Ｒ、３１５Ｇ、３１５Ｂの上には、ＳｉＯ2やＴｉＯ2等の無機材料又はアクリル樹脂やエポキシ樹脂等の有機樹脂等から構成される表面保護層３２５が形成され、ＩＴＯ等の透明導電体からなる透明電極３２２及びポリイミド樹脂等からなる配向膜３２４が順次積層されている。また、第２基板３２１の外面には位相差板３５０及び偏光板３５１が配置されている。
【０１１３】
本実施の形態においては、各着色層３１５Ｒ、３１５Ｇ及び３１５Ｂの第１部分３１５Ｒａ、３１５Ｇａ、３１５Ｂａと第２部分３１５Ｒｂ、３１５Ｇｂ、３１５Ｂｂは同一の材料から形成され、第１部分３１５Ｒａ、３１５Ｇａ、３１５Ｂａの厚さｔ１は、第２部分３１５Ｒｂ、３１５Ｇｂ、３１５Ｂｂの厚さｔ２よりも厚くなるように形成されている。この場合、ｔ２はｔ１の２倍〜５倍であることが好ましく、３．５倍〜４．５倍であることがさらに好ましい。このため、透過型表示の場合において着色層３１５の第１部分３１５Ｒａ、３１５Ｇａ、３１５Ｂａを一回しか通過しない透過光であっても、色の濃い画像表示をすることができる。
【０１１４】
このような各着色層３１５Ｒ、３１５Ｇ及び３１５Ｂの第１部分３１５Ｒａ、３１５Ｇａ、３１５Ｂａと第２部分３１５Ｒｂ、３１５Ｇｂ、３１５Ｂｂの厚さを特定するにあたっては、以下のように構成することによって実現することができる。
【０１１５】
Ｃ光源を用いて各着色層３１５に光を一回通過させて、着色層３１５の色度座標を算出し、ＣＩＥ１９３１色度図上にプロットした場合に、各着色層３１５Ｒ、３１５Ｇ、３１５Ｂの第１部分３１５Ｒａ、３１５Ｇａ、３１５Ｂａの色度座標を頂点とする三角形の面積は、各着色層３１５Ｒ、３１５Ｇ、３１５Ｂの第２部分３１５Ｒｂ、３１５Ｇｂ、３１５Ｂｂの色度座標を頂点とする三角形の面積の１．１倍以上６．０倍以下となるような構成とすることができる。
【０１１６】
また、Ｃ光源を用いて各着色層３１５Ｒ、３１５Ｇ及び３１５Ｂに光を一回通過させて、着色層３１５Ｒ、３１５Ｇ及び３１５Ｂの色度座標を算出し、ＣＩＥ１９３１色度図上にプロットした場合に、各着色層３１５Ｒ、３１５Ｇ及び３１５Ｂの第１部分３１５Ｒａ、３１５Ｇａ、３１５Ｂａの色度座標を頂点とする三角形の面積は、ＮＴＳＣ受像３原色を頂点とする三角形の面積の０．２５倍以上０．３８倍以下であり、各着色層３１５Ｒ、３１５Ｇ及び３１５Ｂの第２部分３１５Ｒｂ、３１５Ｇｂ、３１５Ｂｂの色度座標を頂点とする三角形の面積は、ＮＴＳＣ受像３原色を頂点とする三角形の面積の０．０６倍以上０．１３倍以下となるような構成としてもよい。
【０１１７】
また、着色層３１５の第１部分３１５Ｒａ、３１５Ｇａ、３１５Ｂａは、第２部分３１５Ｒｂ、３１５Ｇｂ、３１５Ｂｂよりも光濃度が高くなるような構成としてもよい。
【０１１８】
さらに、Ｃ光源を用いて第１部分３１５Ｒａ、３１５Ｇａ、３１５Ｂａ及び第２部分３１５Ｒｂ、３１５Ｇｂ、３１５Ｂｂのそれぞれに対して光を一回通過させてそれぞれの分光透過率曲線を描いた場合に、可視光域において分光透過率曲線のピーク値が互いに異なるような構成としてもよい。
【０１１９】
また、Ｃ光源を用いて第１部分３１５Ｒａ、３１５Ｇａ、３１５Ｂａ及び第２部分３１５Ｒｂ、３１５Ｇｂ、３１５Ｂｂのそれぞれに対して光を一回通過させてそれぞれの分光透過率曲線を描いた場合に、可視光域の所定の波長に対する分光透過率曲線の透過率値が互いに異なるような構成としてもよい。
【０１２０】
また、Ｃ光源を用いて第１部分３１５Ｒａ、３１５Ｇａ、３１５Ｂａ及び第２部分３１５Ｒｂ、３１５Ｇｂ、３１５Ｂｂのそれぞれに対して光を一回通過させてそれぞれの分光透過率曲線を描いた場合に、可視光域において分光透過率曲線が互いに異なるような構成としてもよい。この際、可視光域は、３８０ｎｍ以上７８０ｎｍ以下の波長域であり、この可視光域において、第２部分の分光透過率曲線は、第１部分の分光透過率曲線よりも透過率値が大きくなるような構成としてもよい。
【０１２１】
また、Ｃ光源を用いて第１部分３１５Ｒａ、３１５Ｇａ、３１５Ｂａ及び第２部分３１５Ｒｂ、３１５Ｇｂ、３１５Ｂｂのそれぞれに対して光を一回通過させてそれぞれの分光透過率曲線を描いた場合に、第２部分の分光透過率曲線の可視光域での積分値は、第１部分の分光透過率曲線の可視光域での積分値よりも大きくなるような構成としてもよい。
【０１２２】
また、Ｃ光源を用いて第１部分３１５Ｒａ、３１５Ｇａ、３１５Ｂａ及び第２部分３１５Ｒｂ、３１５Ｇｂ、３１５Ｂｂのそれぞれに対して光を一回通過させてそれぞれの分光透過率曲線を描いた場合に、可視光域において分光透過率曲線の各々に対して下限値からピーク値の半値に対応する半値幅を求めると、第２部分に対応する半値幅は第１部分に対応する半値幅よりも大きくなるような構成としてもよい。
【０１２３】
また、着色層は、５００ｎｍ＜波長λ＜６００ｎｍにおいて透過率のピークを有し、反射層及び着色層は互いに平面的に重なり、第１部分は、透過部に平面的に重なり、第２部分は、反射部に平面的に重なり、Ｃ光源を用いて第１部分及び第２部分のそれぞれに対して光を一回通過させてそれぞれの分光透過率曲線を描いた場合に、可視光域において分光透過率曲線の各々に対して下限値からピーク値の半値に対応する半値幅を求めると、第１部分に対応する半値幅は、１１０ｎｍ〜１２５ｎｍとなり、第２部分に対応する半値幅は、１３５ｎｍ〜１５０ｎｍとなるような構成としてもよい。
【０１２４】
また、Ｃ光源を用いて第１部分及び第２部分のそれぞれに対して光を一回通過させてそれぞれの分光透過率曲線を描いた場合に、可視光域において第１部分の分光透過率曲線のピーク値は、第２部分の分光透過率曲線のピーク値よりも小さくなるような構成としてもよい。
【０１２５】
また、Ｃ光源を用いて各着色層に光を一回通過させて、着色層の色度座標を算出し、ＣＩＥ１９３１色度図上にプロットした場合に、第１の着色層の第１部分の色度座標は、ｘ１＝０．５４、ｙ１＝０．３４とし、（ｘ−ｘ１）2＋（ｙ−ｙ１）2≦（０．０５）2で表される領域に位置し、第２の着色層の第１部分の色度座標は、ｘ２＝０．３１、ｙ２＝０．４９とし、（ｘ−ｘ２）2＋（ｙ−ｙ２）2≦（０．０５）2で表される領域に位置し、第３の着色層の第１部分の色度座標は、ｘ３＝０．１５、ｙ３＝０．１９とし、（ｘ−ｘ３）2＋（ｙ−ｙ３）2≦（０．０５）2で表される領域に位置し、第１の着色層の第２部分の色度座標は、ｘ１＝０．４２、ｙ１＝０．３０とし、（ｘ−ｘ１）2＋（ｙ−ｙ１）2≦（０．０５）2で表される領域に位置し、第２の着色層の第２部分の色度座標は、ｘ２＝０．３１、ｙ２＝０．３５とし、（ｘ−ｘ２）2＋（ｙ−ｙ２）2≦（０．０５）2で表される領域に位置し、第３の着色層の第２部分の色度座標は、ｘ３＝０．２０、ｙ３＝０．２４とし、（ｘ−ｘ３）2＋（ｙ−ｙ３）2≦（０．０５）2で表される領域に位置するような構成としてもよい。
【０１２６】
また、着色層は、波長λ＞６００ｎｍにおいて透過率のピークを有し、第１部分は、透過部に平面的に重なり、第２部分は、反射部に平面的に重なり、Ｃ光源を用いて第１部分及び第２部分のそれぞれに対して光を一回通過させてそれぞれの分光透過率曲線を描いた場合に、４００ｎｍ≦波長λ≦６００ｎｍにおいて分光透過率曲線の各々の積分値を求めると、第２部分に対応する積分値は、第１部分に対応する積分値よりも大きくなるような構成としてもよい。
【０１２７】
また、着色層は、５００ｎｍ＜波長λ＜６００ｎｍにおいて透過率のピークを有し、第１部分は、透過部に平面的に重なり、第２部分は、反射部に平面的に重なり、Ｃ光源を用いて第１部分及び第２部分のそれぞれに対して光を一回通過させてそれぞれの分光透過率曲線を描いた場合に、４００ｎｍ≦波長λ≦５００ｎｍ又は６００ｎｍ≦波長λ≦７００ｎｍにおいて分光透過率曲線の各々の積分値を求めると、第２部分に対応する積分値は、第１部分に対応する積分値よりも大きくなるような構成としてもよい。
【０１２８】
また、着色層は、４００ｎｍ≦波長λ＜５００ｎｍにおいて透過率のピークを有し、第１部分は、透過部に平面的に重なり、第２部分は、反射部に平面的に重なり、Ｃ光源を用いて第１部分及び第２部分のそれぞれに対して光を一回通過させてそれぞれの分光透過率曲線を描いた場合に、５００ｎｍ≦波長λ≦７００ｎｍにおいて分光透過率曲線の各々の積分値を求めると、第２部分に対応する積分値は、第１部分に対応する積分値よりも大きくなるような構成としてもよい。
【０１２９】
また、着色層は、波長λ＞６００ｎｍにおいて透過率のピークを有し、第１部分は、透過部に平面的に重なり、第２部分は、反射部に平面的に重なり、Ｃ光源を用いて第１部分及び第２部分のそれぞれに対して光を一回通過させてそれぞれの分光透過率曲線を描いた場合に、４００ｎｍ≦波長λ≦６００ｎｍにおいて分光透過率曲線の各々の平均透過率を求めると、第２部分に対応する平均透過率は、第１部分に対応する平均透過率よりも大きくなるような構成としてもよい。
【０１３０】
また、着色層は、５００ｎｍ＜波長λ＜６００ｎｍにおいて透過率のピークを有し、第１部分は、透過部に平面的に重なり、第２部分は、反射部に平面的に重なり、Ｃ光源を用いて第１部分及び第２部分のそれぞれに対して光を一回通過させてそれぞれの分光透過率曲線を描いた場合に、４００ｎｍ≦波長λ≦５００ｎｍ又は波長６００ｎｍ≦波長λ≦７００ｎｍにおいて分光透過率曲線の各々の平均透過率を求めると、第２部分に対応する平均透過率は、第１部分に対応する平均透過率よりも大きくなるような構成としてもよい。
【０１３１】
また、着色層は、４００ｎｍ≦波長λ＜５００ｎｍにおいて透過率のピークを有し、第１部分は、透過部に平面的に重なり、第２部分は、反射部に平面的に重なり、Ｃ光源を用いて第１部分及び第２部分のそれぞれに対して光を一回通過させてそれぞれの分光透過率曲線を描いた場合に、５００ｎｍ≦波長λ≦７００ｎｍにおいて分光透過率曲線の各々の平均透過率を求めると、第２部分に対応する平均透過率は、第１部分に対応する平均透過率よりも大きくなるような構成としてもよい。
【０１３２】
このように構成することによって、第１の実施の形態と同様の効果を得ることができる。
【０１３３】
［第３の実施の形態］
次に、本発明の第３の実施の形態の液晶装置について、図２５を用いて説明する。図２５は、本実施の形態である液晶装置の構造を示す断面図である。本実施の形態は、液晶装置４００を構成するカラーフィルタ基板４２０の構造以外については、図２に示した第１の実施の形態と同様に構成されるため、同様の各要素には、図２と同一の符号を付して説明を省略する。
【０１３４】
本実施の形態を構成するカラーフィルタ基板４２０は、ガラス等からなる第２基板３２１上に、透明樹脂中に顔料や染料等の着色材を分散させて所定の色調を呈するようにして形成された着色層４１５が形成されている。本実施の形態においては、着色層４１５は、Ｒ（赤）、Ｇ（緑）及びＢ（青）の三色の着色層４１５Ｒ、４１５Ｇ及び４１５Ｂから構成され、さらに各着色層４１５Ｒ、４１５Ｇ及び４１５Ｂは、素子基板２１０上に形成された反射層２１２の透過領域である透過部２１２ａに平面的に重なるように配置された、第１部分４１５Ｒａ、４１５Ｇａ、４１５Ｂａと、反射層２１２の反射部２１２ｂに平面的に重なるように配置された、第２部分４１５Ｒｂ、４１５Ｇｂ、４１５Ｂｂから構成されている。また、各着色層４１５Ｒ、４１５Ｇ、４１５Ｂが形成される領域の境界部分においてＲ（赤）、Ｇ（緑）、Ｂ（青）の三色が互いに重なるように配置され、黒色遮光膜（ブラックマスク）４１５ＢＭを形成している。
【０１３５】
本実施の形態においては、各着色層４１５Ｒ、４１５Ｇ及び４１５Ｂの第１部分４１５Ｒａ、４１５Ｇａ、４１５Ｂａと第２部分４１５Ｒｂ、４１５Ｇｂ、４１５Ｂｂは同一の材料から形成され、第１部分４１５Ｒａ、４１５Ｇａ、４１５Ｂａの厚さｔ１は、第２部分４１５Ｒｂ、４１５Ｇｂ、４１５Ｂｂの厚さｔ２よりも厚くなるように形成されている。この場合、ｔ２はｔ１の２倍〜５倍であることが好ましく、３．５倍〜４．５倍であることがさらに好ましい。このため、透過型表示の場合において着色層４１５の第１部分４１５Ｒａ、４１５Ｇａ、４１５Ｂａを一回しか通過しない透過光であっても、色の濃い画像表示をすることができる。
【０１３６】
このような各着色層３１５Ｒ、３１５Ｇ及び３１５Ｂの第１部分３１５Ｒａ、３１５Ｇａ、３１５Ｂａと第２部分３１５Ｒｂ、３１５Ｇｂ、３１５Ｂｂの厚さを特定するにあたっては、各着色層を第２の実施の形態と同様に構成することによって実現することができる。
【０１３７】
このように構成することによって、第１の実施の形態と同様の効果を得ることができる。
【０１３８】
［第４の実施の形態］
次に、本発明の第４の実施の形態の液晶装置について、図２６を用いて説明する。図２６は、本実施の形態である液晶装置の構造を示す断面図である。本実施の形態は、液晶装置５００を構成するカラーフィルタ基板５２０の構造以外については、図２に示した第１の実施の形態と同様に構成されるため、同様の各要素には、図２と同一の符号を付して説明を省略する。
【０１３９】
本実施の形態を構成するカラーフィルタ基板５２０は、ガラス等からなる第２基板３２１上に、透明樹脂中に顔料や染料等の着色材を分散させて所定の色調を呈するようにして形成された着色層５１５と、黒色遮光膜（ブラックマスク）５１５ＢＭとが形成されている。本実施の形態においては、着色層５１５は、Ｒ（赤）、Ｇ（緑）及びＢ（青）の三色の着色層５１５Ｒ、５１５Ｇ及び５１５Ｂから構成され、さらに各着色層５１５Ｒ、５１５Ｇ及び５１５Ｂは、素子基板２１０上に形成された反射層２１２の透過領域である透過部２１２ａに平面的に重なるように配置された、第１部分５１５Ｒａ、５１５Ｇａ、５１５Ｂａと、反射層２１２の反射部２１２ｂに平面的に重なるように配置された、第２部分５１５Ｒｂ、５１５Ｇｂ、５１５Ｂｂから構成されている。
【０１４０】
本実施の形態においては、各着色層５１５Ｒ、５１５Ｇ及び５１５Ｂの第１部分５１５Ｒａ、５１５Ｇａ、５１５Ｂａと第２部分５１５Ｒｂ、５１５Ｇｂ、５１５Ｂｂは異なる材料から形成され、第１部分５１５Ｒａ、５１５Ｇａ、５１５Ｂａの厚さｔ１は、第２部分５１５Ｒｂ、５１５Ｇｂ、５１５Ｂｂの厚さｔ２よりも厚くなるように形成されている。この場合、ｔ２はｔ１の２倍〜５倍であることが好ましく、３．５倍〜４．５倍であることがさらに好ましい。このため、透過型表示の場合において着色層５１５の第１部分５１５Ｒａ、５１５Ｇａ、５１５Ｂａを一回しか通過しない透過光であっても、さらに色の濃い画像表示をすることができる。
【０１４１】
このような各着色層５１５Ｒ、５１５Ｇ及び５１５Ｂの第１部分５１５Ｒａ、５１５Ｇａ、５１５Ｂａと第２部分５１５Ｒｂ、５１５Ｇｂ、５１５Ｂｂの厚さを特定するにあたっては、各着色層を第１の実施の形態と同様に構成することによって実現することができる。
【０１４２】
このように構成することによって、第１の実施の形態と同様の効果を得ることができる。
【０１４３】
［第５の実施の形態］
次に、本発明の第５の実施の形態の液晶装置について、図２７を用いて説明する。図２７は、本実施の形態である液晶装置の構造を示す断面図である。本実施の形態は、各着色層（カラーフィルタ）が、第１基板の反射層の上に直接形成されている。本実施の形態においては、図２に示した第１の実施の形態と同様の各要素には、図２と同一の符号を付して説明を省略する。
【０１４４】
本実施の形態を構成するカラーフィルタ基板６１０は、ガラス等からなる第１基板６１１上に、アルミニウム、銀もしくはこれらの合金、又はアルミニウム、銀もしくはこれらの合金と、チタン、窒化チタン、モリブデン、タンタル等との積層膜から構成された反射層２１２が形成され、反射層２１２には、照明装置２７０からの光を透過するための透過部２１２ａと、光を反射するための反射部２１２ｂが形成されている。この反射層２１２の上には、透明樹脂中に顔料や染料等の着色材を分散させて所定の色調を呈するようにして形成された着色層６１５と、着色層６１５を区画するように黒色遮光膜（ブラックマスク）６１５ＢＭとが形成されている。本実施の形態においては、着色層６１５は、Ｒ（赤）、Ｇ（緑）及びＢ（青）の三色の着色層６１５Ｒ、６１５Ｇ及び６１５Ｂから構成され、さらに各着色層６１５Ｒ、６１５Ｇ及び６１５Ｂは、反射層２１２の透過領域である透過部２１２ａに平面的に重なるように配置された、第１部分６１５Ｒａ、６１５Ｇａ、６１５Ｂａと、反射層２１２の反射部２１２ｂに平面的に重なるように配置された、第２部分６１５Ｒｂ、６１５Ｇｂ、６１５Ｂｂから構成されている。さらに、着色層６１５及び黒色遮光膜（ブラックマスク）６１５ＢＭを覆うように、ＳｉＯ2やＴｉＯ2等の無機材料又はアクリル樹脂やエポキシ樹脂等の有機樹脂等から構成される表面保護層６１７が形成されている。
【０１４５】
表面保護層６１７の上には複数並列したストライプ状のＩＴＯ等の透明導電体からなる透明電極６１６が形成されている。透明電極６１６の上には、ポリイミド樹脂等からなる配向膜６２３が形成されている。
【０１４６】
また、対向基板６２０には、第２基板６２１上に、透明電極６１６に直交するように複数並列したストライプ状のＩＴＯ等の透明導電体からなる透明電極６２２と、ポリイミド樹脂等からなる配向膜２２４とが形成されている。
【０１４７】
本実施の形態では、Ｃ光源を用いて第１部分６１５Ｒａ、６１５Ｇａ、６１５Ｂａ及び第２部分６１５Ｒｂ、６１５Ｇｂ、６１５Ｂｂのそれぞれに対して光を一回通過させてそれぞれの分光透過率曲線を描いた場合に、第２部分の分光透過率曲線の可視光域での積分値は、第１部分の分光透過率曲線の可視光域での積分値よりも大きくなるような構成となっている。
【０１４８】
また、着色層は、波長λ＞６００ｎｍにおいて透過率のピークを有し、第１部分は、透過部に平面的に重なり、第２部分は、反射部に平面的に重なり、Ｃ光源を用いて第１部分及び第２部分のそれぞれに対して光を一回通過させてそれぞれの分光透過率曲線を描いた場合に、４００ｎｍ≦波長λ≦６００ｎｍにおいて分光透過率曲線の各々の積分値を求めると、第２部分に対応する積分値は、第１部分に対応する積分値よりも大きくなるような構成としてもよい。
【０１４９】
また、着色層は、５００ｎｍ＜波長λ＜６００ｎｍにおいて透過率のピークを有し、第１部分は、透過部に平面的に重なり、第２部分は、反射部に平面的に重なり、Ｃ光源を用いて第１部分及び第２部分のそれぞれに対して光を一回通過させてそれぞれの分光透過率曲線を描いた場合に、４００ｎｍ≦波長λ≦５００ｎｍ又は６００ｎｍ≦波長λ≦７００ｎｍにおいて分光透過率曲線の各々の積分値を求めると、第２部分に対応する積分値は、第１部分に対応する積分値よりも大きくなるような構成としてもよい。
【０１５０】
また、着色層は、４００ｎｍ≦波長λ＜５００ｎｍにおいて透過率のピークを有し、第１部分は、透過部に平面的に重なり、第２部分は、反射部に平面的に重なり、Ｃ光源を用いて第１部分及び第２部分のそれぞれに対して光を一回通過させてそれぞれの分光透過率曲線を描いた場合に、５００ｎｍ≦波長λ≦７００ｎｍにおいて分光透過率曲線の各々の積分値を求めると、第２部分に対応する積分値は、第１部分に対応する積分値よりも大きくなるような構成としてもよい。
【０１５１】
また、着色層は、波長λ＞６００ｎｍにおいて透過率のピークを有し、第１部分は、透過部に平面的に重なり、第２部分は、反射部に平面的に重なり、Ｃ光源を用いて第１部分及び第２部分のそれぞれに対して光を一回通過させてそれぞれの分光透過率曲線を描いた場合に、４００ｎｍ≦波長λ≦６００ｎｍにおいて分光透過率曲線の各々の平均透過率を求めると、第２部分に対応する平均透過率は、第１部分に対応する平均透過率よりも大きくなるような構成としてもよい。
【０１５２】
また、着色層は、５００ｎｍ＜波長λ＜６００ｎｍにおいて透過率のピークを有し、第１部分は、透過部に平面的に重なり、第２部分は、反射部に平面的に重なり、Ｃ光源を用いて第１部分及び第２部分のそれぞれに対して光を一回通過させてそれぞれの分光透過率曲線を描いた場合に、４００ｎｍ≦波長λ≦５００ｎｍ又は波長６００ｎｍ≦波長λ≦７００ｎｍにおいて分光透過率曲線の各々の平均透過率を求めると、第２部分に対応する平均透過率は、第１部分に対応する平均透過率よりも大きくなるような構成としてもよい。
【０１５３】
また、着色層は、４００ｎｍ≦波長λ＜５００ｎｍにおいて透過率のピークを有し、第１部分は、透過部に平面的に重なり、第２部分は、反射部に平面的に重なり、Ｃ光源を用いて第１部分及び第２部分のそれぞれに対して光を一回通過させてそれぞれの分光透過率曲線を描いた場合に、５００ｎｍ≦波長λ≦７００ｎｍにおいて分光透過率曲線の各々の平均透過率を求めると、第２部分に対応する平均透過率は、第１部分に対応する平均透過率よりも大きくなるような構成としてもよい。
【０１５４】
このように構成することによって、第１の実施の形態と同様の効果を得ることができる。
【０１５５】
［第６の実施の形態］
次に、本発明の第６の実施の形態の液晶装置について、図２８を用いて説明する。図２８は、本実施の形態である液晶装置の構造を示す断面図である。本実施の形態は、液晶装置７００を構成するカラーフィルタ基板７２０の構造以外については、図２に示した第１の実施の形態と同様に構成されるため、同様の各要素には、図２と同一の符号を付して説明を省略する。
【０１５６】
本実施の形態を構成するカラーフィルタ基板７２０は、ガラス等からなる第２基板７２１上に、透明樹脂中に顔料や染料等の着色材を分散させて所定の色調を呈するようにして形成された着色層７１５が形成されている。本実施の形態においては、着色層７１５は、Ｒ（赤）、Ｇ（緑）及びＢ（青）の三色の着色層７１５Ｒ、７１５Ｇ及び７１５Ｂから構成され、さらに各着色層７１５Ｒ、７１５Ｇ及び７１５Ｂは、素子基板２１０上に形成された反射層２１２の透過領域である透過部２１２ａに平面的に重なるように配置された、第１部分７１５Ｒａ、７１５Ｇａ、７１５Ｂａと、反射層２１２の反射部２１２ｂに平面的に重なるように配置された、第２部分７１５Ｒｂ、７１５Ｇｂ、７１５Ｂｂから構成されている。また、各着色層７１５Ｒ、７１５Ｇ、７１５Ｂが形成される領域の境界部分においてＲ（赤）、Ｇ（緑）、Ｂ（青）の三色が互いに重なるように配置され、黒色遮光膜（ブラックマスク）７１５ＢＭを形成している。
【０１５７】
本実施の形態においては、各着色層７１５Ｒ、７１５Ｇ及び７１５Ｂの第１部分７１５Ｒａ、７１５Ｇａ、７１５Ｂａと第２部分７１５Ｒｂ、７１５Ｇｂ、７１５Ｂｂは異なる材料から形成され、第１部分７１５Ｒａ、７１５Ｇａ、７１５Ｂａの厚さｔ１は、第２部分７１５Ｒｂ、７１５Ｇｂ、７１５Ｂｂの厚さｔ２よりも薄く、且つ、第１部分７１５Ｒａ、７１５Ｇａ、７１５Ｂａは、第２部分７１５Ｒｂ、７１５Ｇｂ、７１５Ｂｂよりも色が濃い材料から形成されている。
【０１５８】
このような各着色層７１５Ｒ、７１５Ｇ及び７１５Ｂの第１部分７１５Ｒａ、７１５Ｇａ、７１５Ｂａと第２部分７１５Ｒｂ、７１５Ｇｂ、７１５Ｂｂは、各着色層を第１の実施の形態と同様に構成することによって実現することができる。
【０１５９】
このように構成することによって、第１の実施の形態と同様の効果を得ることができる。
【０１６０】
［第７の実施の形態］
次に、図２９を参照して、第１の実施の形態の液晶装置２００の製造方法について説明する。第１の実施の形態の液晶装置２００は、カラーフィルタ基板２２０の製造方法以外は従来の液晶装置と同様に製造することができるため、カラーフィルタ基板２２０の製造方法についてのみ説明する。
【０１６１】
図２９は、図２に示すカラーフィルタ基板２２０の製造方法を製造工程順に模式的に示す断面図である。まず、図２９（ａ）に示すように、第２基板２２１上に、黒色の感光性樹脂を塗布し、所定のパターンで露光し、現像処理によりパターニグすることにより黒色遮光膜（ブラックマスク）２１５ＢＭを形成する。
【０１６２】
次に、図２９（ｂ）に示すように、Ｒ（赤）の着色層の第２部分を構成する材料を用いて、Ｒ（赤）第２層２１５ＲＸを第２基板２２１の全面にスピンコート法等によって形成する。また、Ｒ（赤）の着色層の第２部分を構成する材料は、前述の第１の実施の形態で説明した方法によって特定する。
【０１６３】
次に、図２９（ｃ）に示すように、所定のパターンで露光し、現像処理によりパターニグすることで、Ｒ（赤）の着色層の第２部分２１５Ｒｂを形成する。この際、Ｒ（赤）の着色層の第２部分２１５Ｒｂは、別途形成される素子基板２１０（図２参照）のＲ（赤）色を表示するための反射領域２１２ｂ（図２参照）に対応するように形成する。
【０１６４】
次に、図２９（ｄ）に示すように、Ｒ（赤）の着色層の第１部分を構成する材料を用いて、Ｒ（赤）第１層２１５ＲＹを第２基板２２１の全面にスピンコート法等によって形成する。また、Ｒ（赤）の着色層の第１部分を構成する材料は、前述の第１の実施の形態で説明した方法によって特定する。
【０１６５】
次に、図２９（ｅ）に示すように、所定のパターンで露光し、現像処理によりパターニグすることで、Ｒ（赤）の着色層の第１部分２１５Ｒａを形成する。この際、Ｒ（赤）の着色層の第１部分２１５Ｒａは、別途形成される素子基板２１０（図２参照）の赤色を表示するための透過部２１２ａ（図２参照）に対応するように形成する。
【０１６６】
次に、図２９（ｆ）に示すように、Ｇ（緑）の着色層２１５Ｇについて（ｂ）〜（ｅ）の工程を繰り返すことで、Ｇ（緑）の着色層２１５Ｇの第１部分２１５Ｇａ及び第２部分２１５Ｇｂを形成し、次に、Ｂ（青）の着色層２１５Ｂについて（ｂ）〜（ｅ）の工程を繰り返すことで、Ｂ（青）の着色層２１５Ｂの第１部分２１５Ｂａ及び第２部分２１５Ｂｂを形成する。
【０１６７】
さらに、着色層２１５Ｒ、２１５Ｇ、２１５Ｂの上に、ＳｉＯ2やＴｉＯ2等の無機材料又はアクリル樹脂やエポキシ樹脂等の有機樹脂等から構成される表面保護層２２５を形成する。
【０１６８】
表面保護層２２５の上に、ＩＴＯ等の透明導電体からなる透明電極２２２を所定のパターンで形成し、透明電極２２２の表面にポリイミド樹脂等からなる配向膜２２４を形成した後、レーヨン系繊維からなるパフ布で一定方向に擦り、ポリイミド分子を表面近傍で一定方向に配列させるラビング処理を施すことによって、カラーフィルタ基板２２０が形成される。
【０１６９】
本実施の形態においては、着色層２１５Ｒ、２１５Ｇ、２１５Ｂの順に形成をしているが、順番はこれに限定されず、各着色層２１５Ｒ、２１５Ｇ、２１５Ｂのいずれから始めてもよい。
【０１７０】
また、着色層２１５Ｒ、２１５Ｇ、２１５Ｂは、インクジェット方式を用いて形成することもでき、この場合は、インクジェットヘッドを移動させて基板２２１の表面を走査させながら、インクジェットヘッドに設けたノズルからＲ（赤）の着色層の第２部分の材料を、パターンに対応した所定のタイミングで吐出して基板２１１上に付着させる。そして、熱成処理、紫外線照射処理、又は真空乾燥処理により着色層材料を乾燥、固化させてＲ（赤）の着色層２１５Ｒｂを形成し。この処理を各色毎に繰り返すことによって残りの着色層２１５Ｒａ、２１５Ｇｂ、２１５Ｇａ、２１５Ｂｂ、２１５Ｂａを形成する。これにより所望の色調の着色層を形成することができる。
【０１７１】
なお、インクジェット方式を用いる場合、各色毎にインクジェットヘッドの走査を繰り返して着色層２１５Ｒｂ、２１５Ｒａ、２１５Ｇｂ、２１５Ｇａ、２１５Ｂｂ、２１５Ｂａを形成してもよく、一つのインクジェットヘッドに複数色のノズルを配備しておいて一回の走査によって複数色を同時に形成してもよい。
【０１７２】
インクジェット法の具体例としては、例えば、ピエゾ素子方式、熱エネルギーを利用した方式等、何でも利用できる。但し、５０ｐｌ以下の流体を±３０μｍ以内の吐出精度で吐出できることが望ましい。
【０１７３】
また、各着色層２１５Ｒ、２１５Ｇ、２１５Ｂの配列パターンとしては、図３０に示すような、例えば、ストライプ配列、デルタ配列及びモザイク配列等のパターンを挙げることができる。
【０１７４】
このように形成されたカラーフィルタ基板２２０を有する液晶装置２００は、反射型として十分な明るさの画像表示と、透過型として十分な色の濃さの画像表示を共に実現することができ、透過型と反射型との表示方式間における画像品質の差異を減少させることができるとともに、色再現性及びホワイトバランスに優れた画像表示を実現することができる。
【０１７５】
［第８の実施の形態］
次に、図３１を参照して、第２の実施の形態の液晶装置３００の製造方法について説明する。第２の実施の形態の液晶装置３００は、カラーフィルタ基板３２０の製造方法以外は従来の液晶装置と同様に製造することができるため、カラーフィルタ基板３２０の製造方法についてのみ説明する。
【０１７６】
図３１は、図２４に示したカラーフィルタ基板３２０の製造方法を製造工程順に模式的に示す断面図である。まず、図３１（ａ）に示すように、第２基板３２１上に、黒色の感光性樹脂を塗布し、所定のパターンで露光し、現像処理によりパターニグすることにより黒色遮光膜（ブラックマスク）３１５ＢＭを形成する。
【０１７７】
次に、図３１（ｂ）に示すように、Ｒ（赤）の着色層を構成する材料を用いて、Ｒ（赤）第２層３１５ＲＸを第２基板３２１の全面にスピンコート法等によって形成する。このとき、Ｒ（赤）第２層３１５ＲＸの厚さは、前述の第２の実施の形態で説明した方法によって特定される。
【０１７８】
次に、図３１（ｃ）に示すように、所定のパターンで露光し、現像処理によりパターニグすることで、Ｒ（赤）の着色層の第２部分３１５Ｒｂを形成する。この際、Ｒ（赤）の着色層の第２部分３１５Ｒｂは、別途形成される素子基板２１０（図２４参照）の赤色を表示するための反射領域２１２ｂ（図２４参照）に対応するように形成される。
【０１７９】
次に、図３１（ｄ）に示すように、図３１（ｂ）と同様のＲ（赤）の着色層材料を用いて、Ｒ（赤）第１層３１５ＲＹを第２基板３２１の全面にスピンコート法等によって形成する。このとき、Ｒ（赤）第２層３１５ＲＸの厚さは、前述の第２の実施の形態で説明した方法によって特定される。
【０１８０】
次に、図３１（ｅ）に示すように、所定のパターンで露光し、現像処理によりパターニグすることで、Ｒ（赤）の着色層の第１部分３１５Ｒａを形成する。この際、Ｒ（赤）の着色層の第１部分３１５Ｒａは、別途形成される素子基板２１０（図２４参照）のＲ（赤）色を表示するための透過部２１２ａ（図２４参照）に対応するように形成される。第１部分３１５Ｒａは第２部分３１５Ｒｂよりも厚さが厚くなるように形成されている。
【０１８１】
次に、図３１（ｆ）に示すように、Ｇ（緑）の着色層３１５Ｇについて（ｂ）〜（ｅ）の工程を繰り返すことで、Ｇ（緑）の着色層３１５Ｇの第１部分３１５Ｇａ及び第２部分３１５Ｇｂを形成し、次に、Ｂ（青）の着色層３１５Ｂについて（ｂ）〜（ｅ）の工程を繰り返すことで、Ｂ（青）の着色層３１５Ｂの第１部分３１５Ｂａ及び第２部分３１５Ｂｂを形成する。
【０１８２】
さらに、着色層３１５Ｒ、３１５Ｇ、３１５Ｂの上に、ＳｉＯ2やＴｉＯ2等の無機材料又はアクリル樹脂やエポキシ樹脂等の有機樹脂等から構成される表面保護層３２５を形成する。
【０１８３】
表面保護層３２５の上に、ＩＴＯ等の透明導電体からなる透明電極３２２を所定のパターンで形成し、透明電極３２２の表面にポリイミド樹脂等からなる配向膜３２４を形成した後、レーヨン系繊維からなるパフ布で一定方向に擦り、ポリイミド分子を表面近傍で一定方向に配列させるラビング処理を施すことによって、カラーフィルタ基板３２０が形成される。
【０１８４】
本実施の形態においては、着色層３１５Ｒ、３１５Ｇ、３１５Ｂの順に形成をしているが、順番はこれに限定されず、各着色層３１５Ｒ、３１５Ｇ、３１５Ｂのいずれから始めてもよい。
【０１８５】
また、第７の実施の形態で説明したように、インクジェット方式を用いて各着色層３１５Ｒ、３１５Ｇ、３１５Ｂを形成することもできる。
【０１８６】
このように形成されたカラーフィルタ基板３２０を有する液晶装置３００は、反射型として十分な明るさの画像表示と、透過型として十分な色の濃さの画像表示を共に実現することができ、透過型と反射型との表示方式間における画像品質の差異を減少させることができるとともに、色再現性及びホワイトバランスに優れた画像表示を実現することができる。
【０１８７】
［第９の実施の形態］
次に、図３２を参照して、第３の実施の形態の液晶装置４００の製造方法について説明する。第３の実施の形態の液晶装置４００は、カラーフィルタ基板４２０の製造方法以外は従来の液晶装置と同様に製造することができるため、カラーフィルタ基板４２０の製造方法についてのみ説明する。
【０１８８】
図３２は、図２５に示すカラーフィルタ基板４２０の製造方法を製造工程順に模式的に示す断面図である。まず、図３２（ａ）に示すように、第２基板４２１上に、Ｒ（赤）の着色層を構成する材料を塗布し、所定のパターンで露光し、現像処理によりパターニグし、Ｒ（赤）の着色層の第２部分４１５Ｒｂを形成する。この際、Ｒ（赤）の着色層の第２部分４１５Ｒｂは、別途形成される素子基板２１０（図２５参照）のＲ（赤）色を表示するための反射領域２１２ｂ（図２５参照）と、ドットを区画する黒色遮光膜（ブラックマスク）４１５ＢＭ（図２５参照）を形成する領域に形成される。
【０１８９】
次に、図３２（ｂ）に示すように、Ｒ（赤）の着色層の第２部分４１５Ｒｂと同一の材料を用いて、Ｒ（赤）の着色層の第１部分４１５Ｒａを形成する。この際、Ｒ（赤）の着色層の第１部分４１５Ｒａは、別途形成される素子基板２１０（図２５参照）のＲ（赤）色を表示するための透過部２１２ａ（図２５参照）に対応するように形成され、さらに、第２部分４１５Ｒｂよりも厚さが厚くなるように形成される。
【０１９０】
次に、図３２（ｃ）及び（ｄ）に示すように、Ｇ（緑）の着色層材料を用いて、（ａ）及び（ｂ）と同様の方法で、Ｇ（緑）の着色層の第２部分４１５Ｇｂと第１部分４１５Ｇａを形成する。
【０１９１】
次に、図３２（ｅ）及び（ｆ）に示すように、Ｂ（青）の着色層材料を用いて、（ａ）及び（ｂ）と同様の方法で、Ｂ（青）の着色層の第２部分４１５Ｂｂと第１部分４１５Ｂａを形成する。
【０１９２】
さらに、着色層４１５Ｒ、４１５Ｇ、４１５Ｂの上に、ＳｉＯ2やＴｉＯ2等の無機材料又はアクリル樹脂やエポキシ樹脂等の有機樹脂等から構成される表面保護層３２５を形成する。
【０１９３】
表面保護層４２５の上に、ＩＴＯ等の透明導電体からなる透明電極４２２を所定のパターンで形成し、透明電極４２２の表面にポリイミド樹脂等からなる配向膜３２４を形成した後、レーヨン系繊維からなるパフ布で一定方向に擦り、ポリイミド分子を表面近傍で一定方向に配列させるラビング処理を施すことによって、カラーフィルタ基板４２０が形成される。
【０１９４】
本実施の形態においては、着色層４１５Ｒ、４１５Ｇ、４１５Ｂの順に形成をしているが、順番はこれに限定されず、各着色層４１５Ｒ、４１５Ｇ、４１５Ｂのいずれから始めてもよい。
【０１９５】
また、第７の実施の形態で説明したように、インクジェット方式を用いて各着色層４１５Ｒ、４１５Ｇ、４１５Ｂを形成することもできる。
【０１９６】
このように形成されたカラーフィルタ基板４２０を有する液晶装置４００は、反射型として十分な明るさの画像表示と、透過型として十分な色の濃さの画像表示を共に実現することができ、透過型と反射型との表示方式間における画像品質の差異を減少させることができるとともに、色再現性及びホワイトバランスに優れた画像表示を実現することができる。
【０１９７】
［電子機器の実施の形態］
最後に、上記液晶装置をその表示部に用いた電子機器の実施の形態について説明する。図３３は、本実施の形態の全体構成を示す概略構成図である。ここに示す電子機器は、上記と同様の液晶装置２００と、これを制御する制御手段１２００とを有する。ここでは、液晶装置２００を、パネル構造体２００Ａと、半導体ＩＣ等で構成される駆動回路２００Ｂとに概念的に分けて描いてある。また、制御手段１２００は、表示情報出力源１２１０と、表示処理回路１２２０と、電源回路１２３０と、タイミングジェネレータ１２４０とを有する。
【０１９８】
表示情報出力源１２１０は、ＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）等からなるメモリと、磁気記録ディスクや光記録ディスク等からなるストレージユニットと、デジタル画像信号を同調出力する同調回路とを備え、タイミングジェネレータ１２４０によって生成された各種のクロック信号に基づいて、所定フォーマットの画像信号等の形で表示情報を表示情報処理回路１２２０に供給するように構成されている。
【０１９９】
表示情報処理回路１２２０は、シリアル−パラレル変換回路、増幅・反転回路、ローテーション回路、ガンマ補正回路、クランプ回路等の周知の各種回路を備え、入力した表示情報の処理を実行して、その画像情報をクロック信号ＣＬＫと共に駆動回路２００Ｂへ供給する。駆動回路２００Ｂは、走査線駆動回路、データ線駆動回路及び検査回路を含む。また、電源回路１２３０は、上述の各構成要素にそれぞれ所定の電圧を供給する。
【０２００】
図３４は、上記液晶装置をその表示部に用いた電子機器の一の実施形態であるモバイル型のパーソナルコンピュータを示している。ここに示すパーソナルコンピュータ８０は、キーボード８１を備えた本体部８２と、液晶表示ユニット８３とを有する。液晶表示ユニット８３は、前述した液晶装置２００を含んで構成される。
【０２０１】
図３５は、上記液晶装置をその表示部に用いた電子機器の他の実施形態である携帯電話機を示している。ここに示す携帯電話機９０は、複数の操作ボタン９１と、前述した液晶装置２００からなる表示部とを有している。
【０２０２】
以上、本発明の実施の形態について説明したが、上記実施の形態はあくまでも例示であり、上記実施の形態に対しては、本発明の趣旨から逸脱しない範囲で様々な変形を加えることができる。例えば、以上説明した各実施形態においては、いずれもパッシブマトリクス型の液晶装置を例示してきたが、本発明の電気光学装置としては、アクティブマトリクス型の液晶装置（例えば、ＴＦＴ（薄膜トランジスタ）やＴＦＤ（薄膜ダイオード）をスイッチング素子として備えた液晶装置）にも同様に適用することが可能である。また、上記実施の形態は所謂ＣＯＧタイプの構造を有しているが、ＩＣチップを直接実装する構造ではない液晶装置、例えば液晶パネルにフレキシブル配線基板やＴＡＢ基板を接続するように構成されたものであっても構わない。さらに、液晶表示パネルだけでなく、エレクトロルミネッセンス装置、有機エレクトロルミネッセンス装置、プラズマディスプレイ装置などのように、複数の画素毎に表示状態を制御可能な各種の電気光学装置においても本発明を同様に適用することが可能である。
【０２０３】
以上、説明したように本発明によれば、半透過反射方式の電気光学装置に用いられる場合、反射型として十分な明るさの画像表示と、透過型として十分な色の濃さの画像表示を共に実現することができ、透過型と反射型との表示方式間における画像品質の差を減少させることができるとともに、色再現性及びホワイトバランスに優れた画像表示を実現することができる。
【図面の簡単な説明】
【０２０４】
【図１】本発明の第１の実施の形態である液晶装置の外観構造を示す概略斜視図である。
【図２】本発明の第１の実施の形態である液晶装置の構造を示す断面図である。
【図３】ＣＩＥ（１９３１ｘｙ）色度図に、本発明の第１の実施の形態である液晶装置に用いられる各着色層の第１部分及び第２部分の色度座標を頂点とする三角形を示したグラフである。
【図４】ＣＩＥ（１９３１ｘｙ）色度図に、本発明の第１の実施の形態である液晶装置に用いられる各着色層の第１部分及び第２部分の色度座標を頂点とする三角形と、ＮＴＳＣ受像３原色を頂点とする三角形とを示したグラフである。
【図５】Ｌ＊ａ＊ｂ＊表色系色度図に、本発明の第１の実施の形態である液晶装置に用いられる各着色層の第１部分及び第２部分の色度座標を頂点とする三角形を示したグラフである。
【図６】本発明の第１の実施の形態である液晶装置に用いられる各着色層の第１部分の分光透過率曲線を示すグラフである。
【図７】本発明の第１の実施の形態である液晶装置に用いられる各着色層の第２部分の分光透過率曲線を示すグラフである。
【図８】分光透過率曲線の積分値を算出方法を説明するグラフである。
【図９】本発明の第１の実施の形態である液晶装置に用いられる各着色層の第１部分の分光透過率曲線を示すグラフである。
【図１０】本発明の第１の実施の形態である液晶装置に用いられる各着色層の第２部分の分光透過率曲線を示すグラフである。
【図１１】分光透過率曲線の半値幅について説明するグラフである。
【図１２】本発明の第１の実施の形態である液晶装置に用いられる各着色層の第１部分の分光透過率曲線を示すグラフである。
【図１３】本発明の第１の実施の形態である液晶装置に用いられる各着色層の第２部分の分光透過率曲線を示すグラフである。
【図１４】本発明の第１の実施の形態である液晶装置に用いられる各着色層の第１部分の分光透過率曲線を示すグラフである。
【図１５】本発明の第１の実施の形態である液晶装置に用いられる各着色層の第２部分の分光透過率曲線を示すグラフである。
【図１６】本発明の第１の実施の形態である液晶装置に用いられる各着色層の第１部分の分光透過率曲線を示すグラフである。
【図１７】本発明の第１の実施の形態である液晶装置に用いられる各着色層の第２部分の分光透過率曲線を示すグラフである。
【図１８】本発明の第１の実施の形態である液晶装置に用いられる各着色層の第１部分の分光透過率曲線を示すグラフである。
【図１９】本発明の第１の実施の形態である液晶装置に用いられる各着色層の第２部分の分光透過率曲線を示すグラフである。
【図２０】本発明の第１の実施の形態である液晶装置に用いられる各着色層の第１部分の分光透過率曲線を示すグラフである。
【図２１】本発明の第１の実施の形態である液晶装置に用いられる各着色層の第２部分の分光透過率曲線を示すグラフである。
【図２２】本発明の第１の実施の形態である液晶装置に用いられる各着色層の第１部分の分光透過率曲線を示すグラフである。
【図２３】本発明の第１の実施の形態である液晶装置に用いられる各着色層の第２部分の分光透過率曲線を示すグラフである。
【図２４】本発明の第２の実施の形態である液晶装置の構造を示す断面図である。
【図２５】本発明の第３の実施の形態である液晶装置の構造を示す断面図である。
【図２６】本発明の第４の実施の形態である液晶装置の構造を示す断面図である。
【図２７】本発明の第５の実施の形態である液晶装置の構造を示す断面図である。
【図２８】本発明の第６の実施の形態である液晶装置の構造を示す断面図である。
【図２９】本発明の第１の実施の形態である液晶装置を構成するカラーフィルタ基板の製造方法を製造工程順に模式的に示す断面図である。
【図３０】液晶装置におけるＲ（赤）、Ｇ（緑）及びＢ（青）の三色のドットからなる画素の配列例を示す平面図である。
【図３１】本発明の第２の実施の形態である液晶装置を構成するカラーフィルタ基板の製造方法を製造工程順に模式的に示す断面図である。
【図３２】本発明の第３の実施の形態である液晶装置を構成するカラーフィルタ基板の製造方法を製造工程順に示す説明図である。
【図３３】液晶装置をその表示部に用いた電子機器の全体構成を示す概略構成図である。
【図３４】液晶装置をその表示部に用いた電子機器の一の実施形態であるモバイル型のパーソナルコンピュータを示す説明図である。
【図３５】液晶装置をその表示部に用いた電子機器の他の実施形態である携帯電話機を示す説明図である。
【図３６】従来の半透過反射型の液晶装置の構造を模式的に示す断面図である。
【符号の説明】
【０２０５】
２００…液晶装置、２００Ａ…パネル構造体、２００Ｂ…駆動回路、２１０…素子基板、２１０Ｔ…基板張出部、２１１…第１基板、２１２…反射層、２１２ａ…透過部、２１２ｂ…反射部、２１３…下地層、２１５，２１５Ｒ，２１５Ｇ，２１５Ｂ…着色層、２１５Ｒａ，２１５Ｇａ，２１５Ｂａ…第１部分、２１５Ｒｂ，２１５Ｇｂ，２１５Ｂｂ…第２部分、２１５ＲＸ…Ｒ（赤）第１層、２１５ＲＹ…Ｒ（赤）第２層、２１５ＢＭ…黒色遮光膜（ブラックマスク）、２１６…透明電極、２１７…表面保護層、２１８，２１８Ａ，２１８Ｂ…配線、２１９…入力端子部、２２０…カラーフィルタ基板、２２１…第２基板、２２２…透明電極、２２３，２２４…配向膜、２２５…表面保護層、２２８…配線、２３０…シール材、２３２…液晶、２４０，２５０…位相差板、２４１，２５１…偏光板、２６１…半導体ＩＣ、２６３…フレキシブル配線基板、２７０…照明装置、３００…液晶装置、３１５，３１５Ｒ，３１５Ｇ，３１５Ｂ…着色層、３１５Ｒａ，３１５Ｇａ，３１５Ｂａ…第１部分、３１５Ｒｂ，３１５Ｇｂ，３１５Ｂｂ…第２部分、３１５ＲＸ…Ｒ（赤）第１層、３１５ＲＹ…Ｒ（赤）第２層、３１５ＢＭ…黒色遮光膜（ブラックマスク）、３２０…カラーフィルタ基板、３２１…第２基板、３２２…透明電極、３２４…配向膜、３２５…表面保護層、４００…液晶装置、４１５，４１５Ｒ，４１５Ｇ，４１５Ｂ…着色層、４１５Ｒａ，４１５Ｇａ，４１５Ｂａ…第１部分、４１５Ｒｂ，４１５Ｇｂ，４１５Ｂｂ…第２部分、４１５ＢＭ…黒色遮光膜（ブラックマスク）、４２０…カラーフィルタ基板、４２１…第２基板、４２２…透明電極、４２４…配向膜、４２５…表面保護層、５００…液晶装置、５１５，５１５Ｒ，５１５Ｇ，５１５Ｂ…着色層、５１５Ｒａ，５１５Ｇａ，５１５Ｂａ…第１部分、５１５Ｒｂ，５１５Ｇｂ，５１５Ｂｂ…第２部分、５１５ＢＭ…黒色遮光膜（ブラックマスク）、５２０…カラーフィルタ基板、５２１…第２基板、６００…液晶装置、６１０…カラーフィルタ基板、６１１…第１基板、６１５，６１５Ｒ，６１５Ｇ，６１５Ｂ…着色層、６１５Ｒａ，６１５Ｇａ，６１５Ｂａ…第１部分、６１５Ｒｂ，６１５Ｇｂ，６１５Ｂｂ…第２部分、６１５ＢＭ…黒色遮光膜（ブラックマスク）、６１６…透明電極、６１７…表面保護層、６２０…対向基板、６２１…第２基板、６２２…透明電極、６２３，６２４…配向膜、７００…液晶装置、７１５，７１５Ｒ，７１５Ｇ，７１５Ｂ…着色層、７１５Ｒａ，７１５Ｇａ，７１５Ｂａ…第１部分、７１５Ｒｂ，７１５Ｇｂ，７１５Ｂｂ…第２部分、７１５ＢＭ…黒色遮光膜（ブラックマスク）、７２０…カラーフィルタ基板、７２１…第２基板、１５００…制御手段、１５１０…表示情報出力源、１５２０…表示処理回路、１５３０…電源回路、１５４０…タイミングジェネレータ、２０００…携帯電話機、２０１０…ケース体、２００１…回路基板、２０２０…操作ボタン、２０４０…受話部、２０５０…送話部、２０６０…表示窓、Ａ…画像表示領域、Ｄ…ドット、ｔ１…第１部分の厚さ、ｔ２…第２部分の厚さ、Ｒ１，Ｇ１，Ｂ１，Ｒ２，Ｇ２，Ｂ２…分光透過率曲線、ｒ１，ｇ１，ｂ１，ｒ２，ｇ２，ｂ２…ピーク値。
【図１】
2008203868.tif 000003
【図２】
2008203868.tif 000004
【図３】
2008203868.tif 000005
【図４】
2008203868.tif 000006
【図５】
2008203868.tif 000007
【図６】
2008203868.tif 000008
【図７】
2008203868.tif 000009
【図８】
2008203868.tif 000010
【図９】
2008203868.tif 000011
【図１０】
2008203868.tif 000012
【図１１】
2008203868.tif 000013
【図１２】
2008203868.tif 000014
【図１３】
2008203868.tif 000015
【図１４】
2008203868.tif 000016
【図１５】
2008203868.tif 000017
【図１６】
2008203868.tif 000018
【図１７】
2008203868.tif 000019
【図１８】
2008203868.tif 000020
【図１９】
2008203868.tif 000021
【図２０】
2008203868.tif 000022
【図２１】
2008203868.tif 000023
【図２２】
2008203868.tif 000024
【図２３】
2008203868.tif 000025
【図２４】
2008203868.tif 000026
【図２５】
2008203868.tif 000027
【図２６】
2008203868.tif 000028
【図２７】
2008203868.tif 000029
【図２８】
2008203868.tif 000030
【図２９】
2008203868.tif 000031
【図３０】
2008203868.tif 000032
【図３１】
2008203868.tif 000033
【図３２】
2008203868.tif 000034
【図３３】
2008203868.tif 000035
【図３４】
2008203868.tif 000036
【図３５】
2008203868.tif 000037
【図３６】
2008203868.tif 000038
【手続補正書】
【提出日】平成20年4月1日(2008.4.1)
【手続補正１】
【補正対象書類名】特許請求の範囲
【補正対象項目名】全文
【補正方法】変更
【補正の内容】
【特許請求の範囲】
【請求項１】
透過部と反射部とが規定されたカラーフィルタ基板において、
各々色が異なる少なくとも第１、第２及び第３の着色層を有し、
各前記着色層は、第１部分及び第２部分を含み、
各前記着色層の前記第１部分は、対応する前記透過部に平面的に重なるように配設され、
各前記着色層の前記第２部分は、対応する前記反射部に平面的に重なるように配設され、
Ｃ光源を用いて各前記着色層に光を一回通過させて、前記着色層の色度座標を算出し、ＣＩＥ１９３１色度図上にプロットした場合に、各前記着色層の前記第１部分の前記色度座標を頂点とする三角形の面積は、ＮＴＳＣ受像３原色を頂点とする三角形の面積の０．２５倍以上０．３８倍以下であり、各前記着色層の前記第２部分の前記色度座標を頂点とする三角形の面積は、ＮＴＳＣ受像３原色を頂点とする三角形の面積の０．０６倍以上０．１３倍以下であることを特徴とするカラーフィルタ基板。
【請求項２】
透過部と反射部とが規定されたカラーフィルタ基板において、
第１部分及び第２部分を含む着色層を有し、
前記着色層は、５００ｎｍ＜波長λ＜６００ｎｍにおいて透過率のピークを有し、
各前記着色層の前記第１部分は、対応する前記透過部に平面的に重なるように配設され、
各前記着色層の前記第２部分は、対応する前記反射部に平面的に重なるように配設され、
Ｃ光源を用いて前記第１部分及び前記第２部分のそれぞれに対して光を一回通過させてそれぞれの分光透過率曲線を描いた場合に、可視光域において前記分光透過率曲線の各々に対して下限値からピーク値の半値に対応する半値幅を求めると、
前記第１部分に対応する前記半値幅は、１１０ｎｍ〜１２５ｎｍであり、
前記第２部分に対応する前記半値幅は、１３５ｎｍ〜１５０ｎｍであることを特徴とするカラーフィルタ基板。
【請求項３】
透過部と反射部とが規定されたカラーフィルタ基板において、
各々色が異なる、少なくとも第１、第２及び第３の着色層を有し、
各前記着色層は、第１部分及び第２部分を含み、
各前記着色層の前記第１部分は、対応する前記透過部に平面的に重なり、
各前記着色層の前記第２部分は、対応する前記反射部に平面的に重なり、
Ｃ光源を用いて各前記着色層に光を一回通過させて、前記着色層の色度座標を算出し、
ＣＩＥ１９３１色度図上にプロットした場合に、
前記第１の着色層の前記第１部分の色度座標は、ｘ１＝０．５４、ｙ１＝０．３４とし、
（ｘ−ｘ１）２＋（ｙ−ｙ１）２≦（０．０５）２で表される領域に位置し、
前記第２の着色層の前記第１部分の色度座標は、ｘ２＝０．３１、ｙ２＝０．４９とし、
（ｘ−ｘ２）２＋（ｙ−ｙ２）２≦（０．０５）２で表される領域に位置し、
前記第３の着色層の前記第１部分の色度座標は、ｘ３＝０．１５、ｙ３＝０．１９とし、
（ｘ−ｘ３）２＋（ｙ−ｙ３）２≦（０．０５）２で表される領域に位置し、
前記第１の着色層の前記第２部分の色度座標は、ｘ１＝０．４２、ｙ１＝０．３０とし、
（ｘ−ｘ１）２＋（ｙ−ｙ１）２≦（０．０５）２で表される領域に位置し、
前記第２の着色層の前記第２部分の色度座標は、ｘ２＝０．３１、ｙ２＝０．３５とし、
（ｘ−ｘ２）２＋（ｙ−ｙ２）２≦（０．０５）２で表される領域に位置し、
前記第３の着色層の前記第２部分の色度座標は、ｘ３＝０．２０、ｙ３＝０．２４とし、
（ｘ−ｘ３）２＋（ｙ−ｙ３）２≦（０．０５）２で表される領域に位置することを特徴とするカラーフィルタ基板。
【請求項４】
透過部と反射部とが規定されたカラーフィルタ基板において、
第１部分及び第２部分を含む着色層を有し、
前記着色層は、波長λ＞６００ｎｍにおいて透過率のピークを有し、
前記着色層の前記第１部分は、対応する前記透過部に平面的に重なるように配設され、
前記着色層の前記第２部分は、対応する前記反射部に平面的に重なるように配設され、
Ｃ光源を用いて前記第１部分及び前記第２部分のそれぞれに対して光を一回通過させてそれぞれの分光透過率曲線を描いた場合に、４００ｎｍ≦波長λ≦６００ｎｍにおいて前記分光透過率曲線の各々の積分値を求めると、前記第２部分に対応する前記積分値は、前記第１部分に対応する前記積分値よりも大きいことを特徴とするカラーフィルタ基板。
【請求項５】
透過部と反射部とが規定されたカラーフィルタ基板において、
第１部分及び第２部分を含む着色層を有し、
前記着色層は、５００ｎｍ＜波長λ＜６００ｎｍにおいて透過率のピークを有し、
前記着色層の前記第１部分は、対応する前記透過部に平面的に重なるように配設され、
前記着色層の前記第２部分は、対応する前記反射部に平面的に重なるように配設され、
Ｃ光源を用いて前記第１部分及び前記第２部分のそれぞれに対して光を一回通過させてそれぞれの分光透過率曲線を描いた場合に、４００ｎｍ≦波長λ≦５００ｎｍ又は６００ｎｍ≦波長λ≦７００ｎｍにおいて前記分光透過率曲線の各々の積分値を求めると、前記第２部分に対応する前記積分値は、前記第１部分に対応する前記積分値よりも大きいことを特徴とするカラーフィルタ基板。
【請求項６】
透過部と反射部とが規定されたカラーフィルタ基板において、
第１部分及び第２部分を含む着色層を有し、
前記着色層は、４００ｎｍ≦波長λ＜５００ｎｍにおいて透過率のピークを有し、
前記着色層の前記第１部分は、対応する前記透過部に平面的に重なるように配設され、
前記着色層の前記第２部分は、対応する前記反射部に平面的に重なるように配設され、
Ｃ光源を用いて前記第１部分及び前記第２部分のそれぞれに対して光を一回通過させてそれぞれの分光透過率曲線を描いた場合に、５００ｎｍ≦波長λ≦７００ｎｍにおいて前記分光透過率曲線の各々の積分値を求めると、前記第２部分に対応する前記積分値は、前記第１部分に対応する前記積分値よりも大きいことを特徴とするカラーフィルタ基板。
【請求項７】
透過部と反射部とが規定されたカラーフィルタ基板において、
第１部分及び第２部分を含む着色層を有し、 
前記着色層は、波長λ＞６００ｎｍにおいて透過率のピークを有し、
前記着色層の前記第１部分は、対応する前記透過部に平面的に重なるように配設され、
前記着色層の前記第２部分は、対応する前記反射部に平面的に重なるように配設され、
Ｃ光源を用いて前記第１部分及び前記第２部分のそれぞれに対して光を一回通過させてそれぞれの分光透過率曲線を描いた場合に、４００ｎｍ≦波長λ≦６００ｎｍにおいて前記分光透過率曲線の各々の平均透過率を求めると、前記第２部分に対応する前記平均透過率は、前記第１部分に対応する前記平均透過率よりも大きいことを特徴とするカラーフィルタ基板。
【請求項８】
透過部と反射部とが規定されたカラーフィルタ基板において、
第１部分及び第２部分を含む着色層を有し、
前記着色層は、５００ｎｍ＜波長λ＜６００ｎｍにおいて透過率のピークを有し、
前記着色層の前記第１部分は、対応する前記透過部に平面的に重なるように配設され、
前記着色層の前記第２部分は、対応する前記反射部に平面的に重なるように配設され、
Ｃ光源を用いて前記第１部分及び前記第２部分のそれぞれに対して光を一回通過させてそれぞれの分光透過率曲線を描いた場合に、４００ｎｍ≦波長λ≦５００ｎｍ又は波長６００ｎｍ≦波長λ≦７００ｎｍにおいて前記分光透過率曲線の各々の平均透過率を求めると、前記第２部分に対応する前記平均透過率は、前記第１部分に対応する前記平均透過率よりも大きいことを特徴とするカラーフィルタ基板。
【請求項９】
透過部と反射部とが規定されたカラーフィルタ基板において、
第１部分及び第２部分を含む着色層を有し、
前記着色層は、４００ｎｍ≦波長λ＜５００ｎｍにおいて透過率のピークを有し、
前記着色層の前記第１部分は、対応する前記透過部に平面的に重なるように配設され、
前記着色層の前記第２部分は、対応する前記反射部に平面的に重なるように配設され、
Ｃ光源を用いて前記第１部分及び前記第２部分のそれぞれに対して光を一回通過させてそれぞれの分光透過率曲線を描いた場合に、５００ｎｍ≦波長λ≦７００ｎｍにおいて前記分光透過率曲線の各々の平均透過率を求めると、前記第２部分に対応する前記平均透過率は、前記第１部分に対応する前記平均透過率よりも大きいことを特徴とするカラーフィルタ基板。
【請求項１０】
前記反射部には、光を反射する反射層が設けられていることを特徴とする請求項１〜９のいずれかに記載のカラーフィルタ基板。
【請求項１１】
一対の基板の間に液晶を挟持する電気光学装置において、
前記一対の基板のうち一方の基板には、前記反射部に対応して光を反射する反射層が設けられており、
前記一対の基板のうち他方の基板が、請求項１〜９のいずれかに記載のカラーフィルタ基板であることを特徴とする電気光学装置。
【請求項１２】
一対の基板を有する電気光学装置において、
前記一対の基板のうち一方の基板には、実質的に光が透過可能な透過部と光を反射する反射層が設けられた反射部とが規定されており、
前記一対の基板のうちいずれか一方の基板には、第１部分及び第２部分を含む着色層を有し、
前記第１部分は、前記透過部に平面的に重なり、
前記第２部分は、前記反射部に平面的に重なり、
Ｃ光源を用いて前記第１部分及び前記第２部分のそれぞれに対して光を一回通過させてそれぞれの分光透過率曲線を描いた場合に、可視光域において前記分光透過率曲線の各々に対して下限値からピーク値の半値に対応する半値幅を求めると、前記第２部分に対応する前記半値幅は前記第１部分に対応する前記半値幅よりも大きいことを特徴とする電気光学装置。
【請求項１３】
請求項１１又は１２に記載された電気光学装置を備えてなることを特徴とする電子機器。
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】変更
【補正の内容】
【００１４】
上述の目的を達成するために、本発明のカラーフィルタ基板は、透過部と反射部とが規定されたカラーフィルタ基板において、各々色が異なる少なくとも第１、第２及び第３の着色層を有し、各前記着色層は、第１部分及び第２部分を含み、各前記着色層の前記第１部分は、対応する前記透過部に平面的に重なるように配設され、各前記着色層の前記第２部分は、対応する前記反射部に平面的に重なるように配設され、Ｃ光源を用いて各前記着色層に光を一回通過させて、前記着色層の色度座標を算出し、ＣＩＥ１９３１色度図上にプロットした場合に、各前記着色層の前記第１部分の前記色度座標を頂点とする三角形の面積は、ＮＴＳＣ受像３原色を頂点とする三角形の面積の０．２５倍以上０．３８倍以下であり、各前記着色層の前記第２部分の前記色度座標を頂点とする三角形の面積は、ＮＴＳＣ受像３原色を頂点とする三角形の面積の０．０６倍以上０．１３倍以下であることを特徴とする。
【手続補正５】
【補正対象書類名】明細書
【補正対象項目名】００１５
【補正方法】変更
【補正の内容】
【００１５】
また、本発明のカラーフィルタ基板は、透過部と反射部とが規定されたカラーフィルタ基板において、第１部分及び第２部分を含む着色層を有し、前記着色層は、５００ｎｍ＜波長λ＜６００ｎｍにおいて透過率のピークを有し、各前記着色層の前記第１部分は、対応する前記透過部に平面的に重なるように配設され、各前記着色層の前記第２部分は、対応する前記反射部に平面的に重なるように配設され、Ｃ光源を用いて前記第１部分及び前記第２部分のそれぞれに対して光を一回通過させてそれぞれの分光透過率曲線を描いた場合に、可視光域において前記分光透過率曲線の各々に対して下限値からピーク値の半値に対応する半値幅を求めると、前記第１部分に対応する前記半値幅は、１１０ｎｍ〜１２５ｎｍであり、前記第２部分に対応する前記半値幅は、１３５ｎｍ〜１５０ｎｍであることを特徴とする。
【手続補正６】
【補正対象書類名】明細書
【補正対象項目名】００１６
【補正方法】変更
【補正の内容】
【００１６】
また、本発明のカラーフィルタ基板は、透過部と反射部とが規定されたカラーフィルタ基板において、各々色が異なる、少なくとも第１、第２及び第３の着色層を有し、各前記着色層は、第１部分及び第２部分を含み、各前記着色層の前記第１部分は、対応する前記透過部に平面的に重なり、各前記着色層の前記第２部分は、対応する前記反射部に平面的に重なり、Ｃ光源を用いて各前記着色層に光を一回通過させて、前記着色層の色度座標を算出し、ＣＩＥ１９３１色度図上にプロットした場合に、前記第１の着色層の前記第１部分の色度座標は、ｘ１＝０．５４、ｙ１＝０．３４とし、（ｘ−ｘ１）２＋（ｙ−ｙ１）２≦（０．０５）２で表される領域に位置し、前記第２の着色層の前記第１部分の色度座標は、ｘ２＝０．３１、ｙ２＝０．４９とし、（ｘ−ｘ２）２＋（ｙ−ｙ２）２≦（０．０５）２で表される領域に位置し、前記第３の着色層の前記第１部分の色度座標は、ｘ３＝０．１５、ｙ３＝０．１９とし、（ｘ−ｘ３）２＋（ｙ−ｙ３）２≦（０．０５）２で表される領域に位置し、前記第１の着色層の前記第２部分の色度座標は、ｘ１＝０．４２、ｙ１＝０．３０とし、（ｘ−ｘ１）２＋（ｙ−ｙ１）２≦（０．０５）２で表される領域に位置し、前記第２の着色層の前記第２部分の色度座標は、ｘ２＝０．３１、ｙ２＝０．３５とし、（ｘ−ｘ２）２＋（ｙ−ｙ２）２≦（０．０５）２で表される領域に位置し、前記第３の着色層の前記第２部分の色度座標は、ｘ３＝０．２０、ｙ３＝０．２４とし、（ｘ−ｘ３）２＋（ｙ−ｙ３）２≦（０．０５）２で表される領域に位置することを特徴とする。
【手続補正７】
【補正対象書類名】明細書
【補正対象項目名】００１７
【補正方法】変更
【補正の内容】
【００１７】
また、本発明のカラーフィルタ基板は、透過部と反射部とが規定されたカラーフィルタ基板において、第１部分及び第２部分を含む着色層を有し、前記着色層は、波長λ＞６００ｎｍにおいて透過率のピークを有し、前記着色層の前記第１部分は、対応する前記透過部に平面的に重なるように配設され、前記着色層の前記第２部分は、対応する前記反射部に平面的に重なるように配設され、Ｃ光源を用いて前記第１部分及び前記第２部分のそれぞれに対して光を一回通過させてそれぞれの分光透過率曲線を描いた場合に、４００ｎｍ≦波長λ≦６００ｎｍにおいて前記分光透過率曲線の各々の積分値を求めると、前記第２部分に対応する前記積分値は、前記第１部分に対応する前記積分値よりも大きいことを特徴とする。
【手続補正８】
【補正対象書類名】明細書
【補正対象項目名】００１８
【補正方法】変更
【補正の内容】
【００１８】
また、本発明のカラーフィルタ基板は、透過部と反射部とが規定されたカラーフィルタ基板において、第１部分及び第２部分を含む着色層を有し、前記着色層は、５００ｎｍ＜波長λ＜６００ｎｍにおいて透過率のピークを有し、前記着色層の前記第１部分は、対応する前記透過部に平面的に重なるように配設され、前記着色層の前記第２部分は、対応する前記反射部に平面的に重なるように配設され、Ｃ光源を用いて前記第１部分及び前記第２部分のそれぞれに対して光を一回通過させてそれぞれの分光透過率曲線を描いた場合に、４００ｎｍ≦波長λ≦５００ｎｍ又は６００ｎｍ≦波長λ≦７００ｎｍにおいて前記分光透過率曲線の各々の積分値を求めると、前記第２部分に対応する前記積分値は、前記第１部分に対応する前記積分値よりも大きいことを特徴とする。
【手続補正９】
【補正対象書類名】明細書
【補正対象項目名】００１９
【補正方法】変更
【補正の内容】
【００１９】
また、本発明のカラーフィルタ基板は、透過部と反射部とが規定されたカラーフィルタ基板において、第１部分及び第２部分を含む着色層を有し、前記着色層は、４００ｎｍ≦波長λ＜５００ｎｍにおいて透過率のピークを有し、前記着色層の前記第１部分は、対応する前記透過部に平面的に重なるように配設され、前記着色層の前記第２部分は、対応する前記反射部に平面的に重なるように配設され、Ｃ光源を用いて前記第１部分及び前記第２部分のそれぞれに対して光を一回通過させてそれぞれの分光透過率曲線を描いた場合に、５００ｎｍ≦波長λ≦７００ｎｍにおいて前記分光透過率曲線の各々の積分値を求めると、前記第２部分に対応する前記積分値は、前記第１部分に対応する前記積分値よりも大きいことを特徴とする。
【手続補正１０】
【補正対象書類名】明細書
【補正対象項目名】００２０
【補正方法】変更
【補正の内容】
【００２０】
また、本発明のカラーフィルタ基板は、透過部と反射部とが規定されたカラーフィルタ基板において、第１部分及び第２部分を含む着色層を有し、前記着色層は、波長λ＞６００ｎｍにおいて透過率のピークを有し、前記着色層の前記第１部分は、対応する前記透過部に平面的に重なるように配設され、前記着色層の前記第２部分は、対応する前記反射部に平面的に重なるように配設され、Ｃ光源を用いて前記第１部分及び前記第２部分のそれぞれに対して光を一回通過させてそれぞれの分光透過率曲線を描いた場合に、４００ｎｍ≦波長λ≦６００ｎｍにおいて前記分光透過率曲線の各々の平均透過率を求めると、前記第２部分に対応する前記平均透過率は、前記第１部分に対応する前記平均透過率よりも大きいことを特徴とする。
【手続補正１１】
【補正対象書類名】明細書
【補正対象項目名】００２１
【補正方法】変更
【補正の内容】
【００２１】
また、本発明のカラーフィルタ基板は、透過部と反射部とが規定されたカラーフィルタ基板において、第１部分及び第２部分を含む着色層を有し、前記着色層は、５００ｎｍ＜波長λ＜６００ｎｍにおいて透過率のピークを有し、前記着色層の前記第１部分は、対応する前記透過部に平面的に重なるように配設され、前記着色層の前記第２部分は、対応する前記反射部に平面的に重なるように配設され、Ｃ光源を用いて前記第１部分及び前記第２部分のそれぞれに対して光を一回通過させてそれぞれの分光透過率曲線を描いた場合に、４００ｎｍ≦波長λ≦５００ｎｍ又は波長６００ｎｍ≦波長λ≦７００ｎｍにおいて前記分光透過率曲線の各々の平均透過率を求めると、前記第２部分に対応する前記平均透過率は、前記第１部分に対応する前記平均透過率よりも大きいことを特徴とする。
【手続補正１２】
【補正対象書類名】明細書
【補正対象項目名】００２２
【補正方法】変更
【補正の内容】
【００２２】
また、本発明のカラーフィルタ基板は、透過部と反射部とが規定されたカラーフィルタ基板において、第１部分及び第２部分を含む着色層を有し、前記着色層は、４００ｎｍ≦波長λ＜５００ｎｍにおいて透過率のピークを有し、前記着色層の前記第１部分は、対応する前記透過部に平面的に重なるように配設され、前記着色層の前記第２部分は、対応する前記反射部に平面的に重なるように配設され、Ｃ光源を用いて前記第１部分及び前記第２部分のそれぞれに対して光を一回通過させてそれぞれの分光透過率曲線を描いた場合に、５００ｎｍ≦波長λ≦７００ｎｍにおいて前記分光透過率曲線の各々の平均透過率を求めると、前記第２部分に対応する前記平均透過率は、前記第１部分に対応する前記平均透過率よりも大きいことを特徴とする。
【手続補正１３】
【補正対象書類名】明細書
【補正対象項目名】００４４
【補正方法】変更
【補正の内容】
【００４４】
また、本発明の電気光学装置は、一対の基板を有する電気光学装置において、前記一対の基板のうち一方の基板には、実質的に光が透過可能な透過部と光を反射する反射層が設けられた反射部とが規定されており、前記一対の基板のうちいずれか一方の基板には、第１部分及び第２部分を含む着色層を有し、前記第１部分は、前記透過部に平面的に重なり、前記第２部分は、前記反射部に平面的に重なり、Ｃ光源を用いて前記第１部分及び前記第２部分のそれぞれに対して光を一回通過させてそれぞれの分光透過率曲線を描いた場合に、可視光域において前記分光透過率曲線の各々に対して下限値からピーク値の半値に対応する半値幅を求めると、前記第２部分に対応する前記半値幅は前記第１部分に対応する前記半値幅よりも大きいことを特徴とする。